(57)【要約】【課題】電子装置の画面を拡大又は縮小するための方法及びその電子装置を提供する。【解決手段】本発明による電子装置の画面表示制御方法は、電子装置の画面表示を制御するための方法において、少なくとも１つの第１タッチを検出する工程と、前記少なくとも１つの第１タッチによる第１領域を決定する工程と、前記第１領域の面積が変更されたか否かを確認する工程と、前記第１領域の面積が維持される場合、前記第１タッチ地点が表示制御領域内に位置するか否かを確認する工程と、前記第１タッチ地点が表示制御領域内に位置する場合、前記第１タッチ地点の位置変化に基づいて画面を拡大又は縮小して表示する工程とを有する。【選択図】      図２０
2014049121.tif 000002
【特許請求の範囲】
【請求項１】
電子装置の画面表示を制御するための方法において、
少なくとも１つの第１タッチを検出する工程と、
前記少なくとも１つの第１タッチによる第１領域を決定する工程と、
前記第１領域の面積が変更されたか否かを確認する工程と、
前記第１領域の面積が維持される場合、前記第１タッチ地点が表示制御領域内に位置するか否かを確認する工程と、
前記第１タッチ地点が表示制御領域内に位置する場合、前記第１タッチ地点の位置変化に基づいて画面を拡大又は縮小して表示する工程とを有することを特徴とする電子装置の画面表示制御方法。
【請求項２】
前記第１領域は、多角形、円形、及び楕円形のいずれか１つの形態で構成されることを特徴とする請求項１に記載の電子装置の画面表示制御方法。
【請求項３】
前記第１領域の面積が変更されたか否かを確認する工程は、前記第１タッチが維持された状態で少なくとも１つの第２タッチが感知された場合、前記少なくとも１つの第１タッチと前記少なくとも１つの第２タッチとに基づいて第２領域を決定する工程と、
前記第１領域と前記第２領域の面積を比較して前記第１領域の面積が変更されたか否かを確認する工程とを含むことを特徴とする請求項１に記載の電子装置の画面表示制御方法。
【請求項４】
前記第１領域の面積が変更されたか否かを確認する工程は、前記少なくとも１つの第１タッチの内の少なくとも１つのタッチに対する移動が感知された場合、前記少なくとも１つのタッチに対する移動に基づいて第２領域を決定する工程と、
前記第１領域と前記第２領域の面積を比較して前記第１領域の面積が変更されたか否かを確認する工程とを含むことを特徴とする請求項１に記載の電子装置の画面表示制御方法。
【請求項５】
前記第１領域の面積が変更されたか否かを確認する工程は、前記第１領域に含まれるピクセルの数が変更されたか否かを確認する工程を含むことを特徴とする請求項１に記載の電子装置の画面表示制御方法。
【請求項６】
前記第１領域の面積が変更された場合、前記第１領域の面積変化量に基づいて画面を拡大又は縮小して表示する工程をさらに含むことを特徴とする請求項１に記載の電子装置の画面表示制御方法。
【請求項７】
前記第１領域の面積が変更された場合、前記第１領域の面積変化率に基づいて画面を拡大又は縮小して表示する工程をさらに含むことを特徴とする請求項１に記載の電子装置の画面表示制御方法。
【請求項８】
前記画面を拡大又は縮小して表示する工程は、前記表示制御領域に対する前記第１タッチのドラッグの方向に基づいてズームモードを決定する工程と、
前記ズームモードに対応して前記ドラッグの長さに比例するように画面を拡大又は縮小して表示する工程とを含み、
前記ズームモードは、拡大及び縮小のいずれか１つを含むことを特徴とする請求項１に記載の電子装置の画面表示制御方法。
【請求項９】
前記表示制御領域に対する前記第１タッチのドラッグに変曲点が感知された場合、前記ズームモードを変更する工程と、
前記ズームモードに対応して前記変曲点からのドラッグの長さに比例するように画面を拡大又は縮小して表示する工程とをさらに有することを特徴とする請求項８に記載の電子装置の画面表示制御方法。
【請求項１０】
前記画面を拡大又は縮小して表示する工程は、タッチが検出された前記表示制御領域の種類に基づいてズームモードを決定する工程と、
前記ズームモードに対応して画面を拡大又は縮小して表示する工程とを含み、
前記ズームモードは、拡大及び縮小のいずれか１つを含むことを特徴とする請求項１に記載の電子装置の画面表示制御方法。
【請求項１１】
前記画面を拡大又は縮小して表示する工程は、前記表示制御領域に表示されたコンテンツの中央部分を中心に前記第１領域に対するタッチ情報に基づいて画面を拡大又は縮小して表示する工程を含むことを特徴とする請求項１に記載の電子装置の画面表示制御方法。
【請求項１２】
電子装置において、
タッチスクリーンと、
前記タッチスクリーンを介して検出した少なくとも１つの第１タッチによる第１領域を決定し、前記第１領域の面積が変更されたか否かを確認し、前記第１領域の面積が維持される場合、前記第１タッチ地点が表示制御領域内に位置するか否かを確認し、前記第１タッチ地点が表示制御領域内に位置する場合、前記第１タッチ地点の位置変化に基づいて前記タッチスクリーンの画面を拡大又は縮小して表示するよう制御する制御部とを有することを特徴とする電子装置。
【請求項１３】
前記第１領域は、多角形、円形、及び楕円形のいずれか１つの形態に構成されることを特徴とする請求項１２に記載の電子装置。
【請求項１４】
前記制御部は、前記第１タッチが維持された状態で少なくとも１つの第２タッチが感知された場合、前記少なくとも１つの第１タッチと前記少なくとも１つの第２タッチに基づいて第２領域を決定し、前記第１領域と前記第２領域の面積を比較して前記第１領域の面積が変更されたか否かを確認することを特徴とする請求項１２に記載の電子装置。
【請求項１５】
前記制御部は、前記少なくとも１つの第１タッチの内の少なくとも１つのタッチに対する移動が感知された場合、前記少なくとも１つのタッチに対する移動に基づいて第２領域を決定し、前記第１領域と前記第２領域の面積を比較して前記第１領域の面積が変更されたか否かを確認することを特徴とする請求項１２に記載の電子装置。
【請求項１６】
前記制御部は、前記第１領域に含まれるピクセルの数に基づいて前記第１領域の面積が変更されたか否かを確認することを特徴とする請求項１２に記載の電子装置。
【請求項１７】
前記制御部は、前記第１領域の面積が変更された場合、前記第１領域の面積変化量に基づいて画面を拡大又は縮小して表示するよう制御することを特徴とする請求項１２に記載の装置。
【請求項１８】
前記制御部は、前記第１領域の面積が変更された場合、前記第１領域の面積変化率に基づいて画面を拡大又は縮小して表示するよう制御することを特徴とする請求項１２に記載の電子装置。
【請求項１９】
前記制御部は、前記表示制御領域に対する前記第１タッチのドラッグの方向に基づいてズームモードを決定し、前記ズームモードに対応して前記ドラッグの長さに比例するように画面を拡大又は縮小して表示するよう制御し、
前記ズームモードは、拡大及び縮小のいずれか１つを含むことを特徴とする請求項１２に記載の電子装置。
【請求項２０】
前記制御部は、前記表示制御領域に対する前記第１タッチのドラッグに変曲点が感知された場合、前記ズームモードを変更し、前記ズームモードに対応して前記変曲点からのドラッグの長さに比例するように画面を拡大又は縮小して表示するよう制御することを特徴とする請求項１９に記載の電子装置。
【請求項２１】
前記制御部は、タッチが検出された前記表示制御領域の種類に基づいてズームモードを決定し、前記ズームモードに対応して画面を拡大又は縮小して表示するよう制御し、前記ズームモードは、拡大及び縮小のいずれか１つを含むことを特徴とする請求項１２に記載の電子装置。
【請求項２２】
前記制御部は、前記表示領域に表示されたコンテンツの中央部分を中心に前記第１領域に対するタッチ情報に基づいて画面を拡大又は縮小して表示するよう制御することを特徴とする請求項１２に記載の電子装置。
【請求項２３】
電子装置の画面表示を制御するための方法において、
第１領域に対するタッチを検出する工程と、
前記タッチに対するドラッグの方向に基づいて画面に対する拡大又は縮小を決定する工程と、
前記タッチに対するドラッグの長さに比例するように画面を拡大又は縮小して表示する工程とを有し、
前記第１領域は、表示領域内に設定された少なくとも１つの指定された領域を含むことを特徴とする電子装置の画面表示制御方法。
【請求項２４】
前記ドラッグの長さは、ドラッグが感知された全体長さ、ドラッグによる垂直座標の変化値、及びドラッグの開始地点からタッチ解除された地点までの直線距離の内の少なくとも１つを含むことを特徴とする請求項８又は２３に記載の電子装置の画面表示制御方法。
【請求項２５】
前記第１領域に対するタッチポイントのドラッグに変曲点が感知された場合、拡大又は縮小を変更する工程と、
前記変曲点からのドラッグの長さに比例するように画面を拡大又は縮小して表示する工程とをさらに有することを特徴とする請求項２３に記載の電子装置の画面表示制御方法。
【請求項２６】
電子装置において、
タッチを検出するタッチスクリーンと、
第１領域に対するタッチを検出し、前記タッチに対するドラッグの方向に基づいて画面に対する拡大又は縮小を決定し、前記タッチに対するドラッグの長さに比例するように画面を拡大又は縮小して前記タッチスクリーンに表示するよう制御する制御部とを有し、
前記第１領域は、表示領域内に設定された少なくとも１つの指定された領域を含むことを特徴とする電子装置。
【請求項２７】
前記ドラッグの長さは、ドラッグが感知された全体長さ、ドラッグによる垂直座標の変化値、及びドラッグの開始地点からタッチ解除された地点までの直線距離の内の少なくとも１つを含むことを特徴とする請求項１９又は２６に記載の電子装置。
【請求項２８】
前記制御部は、前記第１領域に対するタッチポイントのドラッグに変曲点が感知された場合、前記拡大／縮小を変更し、前記変曲点からのドラッグの長さに比例するように画面を拡大又は縮小して表示するよう制御することを特徴とする請求項２６に記載の電子装置。
【発明の詳細な説明】
【技術分野】
【０００１】
本発明は、電子装置の画面表示を制御するための方法及び装置に関し、特に、電子装置で画面を拡大又は縮小して表示するための方法及びその電子装置に関する。
【背景技術】
【０００２】
携帯用電子装置を利用したマルチメディアサービスの使用が増加するに伴い、携帯用電子装置で処理すべき情報量及び表示すべき情報量が増加している。
これにより、空間活用度を改善して表示部の大きさを増加させることができるタッチスクリーンを備えた携帯用電子装置に対する関心が増加している。
【０００３】
タッチスクリーンは、情報の入力と表示を行う１つの入出力装置である。これにより、携帯用電子装置でタッチスクリーンを使用する場合、携帯用電子装置はキーパッドのような別途の入力装置を除去して表示面積を増加させることができる。
ユーザの様々な欲求を満たすために携帯用電子装置で処理すべきサービスが増加するに伴い、ユーザが様々なサービスに容易に接近できるようにするユーザインタフェースをデザインすることが重要な問題として浮かび上がってきている。さらに、携帯用電子装置は携帯の容易性のために限定された大きさの表示面積を含むため、ユーザが様々なサービスに容易に接近できるようにするユーザインタフェースをさらに必要とする。
【０００４】
例えば、携帯用電子装置はユーザの様々な欲求を満たすために様々なコンテンツを提供するが、限定された大きさの表示面積のためコンテンツを小さく表示したり、コンテンツの一部（ｐｏｒｔｉｏｎ）のみを表示したりする問題が発生し得る。
これにより、携帯端末は表示部に表示されたコンテンツ、文書又はイメージに対する拡大（ｚｏｏｍ  ｉｎ、ｍａｇｎｉｆｙ）又は縮小（ｚｏｏｍ  ｏｕｔ、ｄｅ−ｍａｇｎｉｆｙ）を制御するユーザインタフェースを必要とする。
【０００５】
上述のようにタッチスクリーンを使用する場合、電子装置はキーパッドのような別途の入力装置を備えないため入力装置を備える電子装置とは操作方式が異なるようになる。これにより、タッチスクリーンを備える電子装置はタッチスクリーンによってユーザフレンドリーを提供する改善されたユーザインタフェースを必要とするという課題が生じている。
例えば、タッチスクリーンを備える電子装置はタッチスクリーンを用いて画面を拡大／縮小するための改善されたユーザインタフェースを必要とする。
【先行技術文献】
【特許文献】
【０００６】
【特許文献１】韓国公開特許第１０−２０１２−００５１７８０号公報
【発明の概要】
【発明が解決しようとする課題】
【０００７】
本発明は上記従来のタッチスクリーンにおける課題点に鑑みてなされたものであって、本発明の目的は、電子装置の画面を拡大又は縮小するための方法及びその電子装置を提供することにある。
本発明の他の目的は、電子装置の基準領域の面積変化に基づいて画面を拡大又は縮小するための方法及びその電子装置を提供することにある。
本発明のさらに他の目的は、電子装置の基準領域の面積変化率に基づいて画面を拡大又は縮小するための方法及びその電子装置を提供することにある。
本発明のさらに他の目的は、電子装置の基準領域に含まれるピクセルの個数変化に基づいて画面を拡大又は縮小するための方法及びその電子装置を提供することにある。
本発明のさらに他の目的は、電子装置のズーム領域に対するタッチ情報に基づいて画面を拡大又は縮小するための方法及びその電子装置を提供することにある。
本発明のさらに他の目的は、電子装置のズーム領域に対するドラッグ情報に基づいて画面を拡大又は縮小するための方法及びその電子装置を提供することにある。
【課題を解決するための手段】
【０００８】
上記目的を達成するためになされた本発明による電子装置の画面表示制御方法は、電子装置の画面表示を制御するための方法において、少なくとも１つの第１タッチを検出する工程と、前記少なくとも１つの第１タッチによる第１領域を決定する工程と、前記第１領域の面積が変更されたか否かを確認する工程と、前記第１領域の面積が維持される場合、前記第１タッチ地点が表示制御領域内に位置するか否かを確認する工程と、前記第１タッチ地点が表示制御領域内に位置する場合、前記第１タッチ地点の位置変化に基づいて画面を拡大又は縮小して表示する工程とを有することを特徴とする。
【０００９】
上記目的を達成するためになされた本発明による電子装置は、電子装置において、タッチスクリーンと、前記タッチスクリーンを介して検出した少なくとも１つの第１タッチによる第１領域を決定し、前記第１領域の面積が変更されたか否かを確認し、前記第１領域の面積が維持される場合、前記第１タッチ地点が表示制御領域内に位置するか否かを確認し、前記第１タッチ地点が表示制御領域内に位置する場合、前記第１タッチ地点の位置変化に基づいて前記タッチスクリーンの画面を拡大又は縮小して表示するよう制御する制御部とを有することを特徴とする。
【００１０】
また、上記目的を達成するためになされた本発明による電子装置の画面表示制御方法は、電子装置の画面表示を制御するための方法において、第１領域に対するタッチを検出する工程と、前記タッチに対するドラッグの方向に基づいて画面に対する拡大又は縮小を決定する工程と、前記タッチに対するドラッグの長さに比例するように画面を拡大又は縮小して表示する工程とを有し、前記第１領域は、表示領域内に設定された少なくとも１つの指定された領域を含むことを特徴とする。
【００１１】
また、上記目的を達成するためになされた本発明による電子装置は、電子装置において、タッチを検出するタッチスクリーンと、第１領域に対するタッチを検出し、前記タッチに対するドラッグの方向に基づいて画面に対する拡大又は縮小を決定し、前記タッチに対するドラッグの長さに比例するように画面を拡大又は縮小して前記タッチスクリーンに表示するよう制御する制御部とを有し、前記第１領域は、表示領域内に設定された少なくとも１つの指定された領域を含むことを特徴とする。
【発明の効果】
【００１２】
本発明に係る電子装置の画面表示制御方法及びその電子装置によれば、タッチスクリーンを備える電子装置で基準領域の面積変化又は面積変化率又は基準領域に含まれるピクセルの個数変化に対応して画面を拡大又は縮小して表示することによって、画面拡大又は縮小方式をユーザが容易に認知できるという効果がある。
また、電子装置で表示部の一部領域に設定されたズーム領域に対するタッチ情報に対応して画面を拡大又は縮小することによって、画面拡大又は縮小方式をユーザが容易に認知できるという効果がある。
【図面の簡単な説明】
【００１３】
【図１】本発明の実施形態によるタッチ情報に基づいて生成された四角形の基準領域を示す図である。
【図２】本発明の実施形態によるシングルタッチに基づいて生成された四角形の基準領域を示す図である。
【図３】本発明の実施形態によるマルチタッチに基づいて生成された四角形の基準領域を示す図である。
【図４】（ａ）及び（ｂ）は、本発明の実施形態によるオフセットを適用して生成された四角形の基準領域を示す図である。
【図５】（ａ）及び（ｂ）は、本発明の他の実施形態によるオフセットを適用して生成された四角形の基準領域を示す図である。
【図６】本発明の実施形態による基準領域を生成するためのタッチ座標を収集する構成を示す図である。
【図７】本発明の実施形態によるシングルタッチによって生成された基準領域の面積変化を考慮したスクロールを示す図である。
【図８Ａ】本発明の実施形態による基準領域の面積変化に基づいてスクロールダウンを示す図である。
【図８Ｂ】本発明の実施形態による基準領域の面積変化に基づいてスクロールダウンを示す図である。
【図９Ａ】本発明の実施形態による基準領域の面積変化に基づいてスクロールアップを示す図である。
【図９Ｂ】本発明の実施形態による基準領域の面積変化に基づいてスクロールアップを示す図である。
【図１０Ａ】本発明の実施形態による基準領域の面積変化に基づいて画面拡大を示す図である。
【図１０Ｂ】本発明の実施形態による基準領域の面積変化に基づいて画面拡大を示す図である。
【図１１Ａ】本発明の実施形態による基準領域の面積変化に基づいて画面縮小を示す図である。
【図１１Ｂ】本発明の実施形態による基準領域の面積変化に基づいて画面縮小を示す図である。
【図１２】本発明の実施形態によるマルチタッチによるスクロールを示す図である。
【図１３】本発明の他の実施形態によるマルチタッチによるスクロールを示す図である。
【図１４】（ａ）及び（ｂ）は、本発明の実施形態によるシングルタッチに基づいて生成された円形の基準領域を示す図である。
【図１５】（ａ）及び（ｂ）は、本発明の実施形態によるマルチタッチに基づいて生成された円形の基準領域を示す図である。
【図１６】（ａ）及び（ｂ）は、本発明の実施形態によるマルチタッチの位置変化によるオブジェクトの方向性変化を示す図である。
【図１７】（ａ）及び（ｂ）は、本発明の実施形態による円形に構成された基準領域の面積変化に基づいて画面拡大を示す図である。
【図１８】（ａ）及び（ｂ）は、本発明の実施形態による円形に構成された基準領域の面積変化に基づいて画面縮小を示す図である。
【図１９】本発明による電子装置の構成を示すブロック図である。
【図２０】（ａ）は本発明の実施形態による電子装置で基準領域の面積変化に対応して画面を拡大又は縮小する手順を説明するためのフローチャートであり、（ｂ）は本発明による画面を拡大又は縮小するための電子装置の構成を示すブロック図である。
【図２１】本発明の他の実施形態による電子装置で基準領域の面積変化に対応して画面を拡大又は縮小する手順を説明するためのフローチャートである。
【図２２】本発明の実施形態による電子装置でズーム領域に対するドラッグに対応して画面を拡大又は縮小するための手順を説明するためのフローチャートである。
【図２３】本発明の実施形態による電子装置でズーム領域に対するタブ情報に対応して画面を拡大又は縮小するための手順を示す図である。
【図２４】（ａ）及び（ｂ）は、本発明の実施形態によるズーム領域に対する画面構成を示す図である。
【図２５】（ａ）及び（ｂ）は、本発明の他の実施形態によるズーム領域に対する画面構成を示す図である。
【図２６】本発明の実施形態による基準領域の面積変化に対応して画面の拡大又は縮小方式を選択的に使用するための手順を説明するためのフローチャートである。
【図２７】本発明の他の実施形態による基準領域の面積変化に対応して画面の拡大又は縮小方式を選択的に使用するための手順を説明するためのフローチャートである。
【図２８】本発明のさらに他の実施形態による基準領域の面積変化に対応して画面の拡大又は縮小方式を選択的に使用するための手順を説明するためのフローチャートである。
【図２９】本発明の実施形態による基準領域の面積変化を確認するための画面構成を示す図である。
【図３０】本発明の実施形態によるズーム領域のドラッグ情報に対応して画面を拡大するための画面構成を示す図である。
【図３１】本発明の実施形態によるズーム領域のドラッグ情報に対応して画面を縮小するための画面構成を示す図である。
【図３２】本発明の実施形態によるズーム領域に対するドラッグの変曲点に基づいて画面を拡大又は縮小するための画面構成を示す図である。
【発明を実施するための形態】
【００１４】
次に、本発明に係る電子装置の画面表示制御方法及びその電子装置を実施するための形態の具体例を図面を参照しながら説明する。
【００１５】
本発明を説明するに当たって、関連する公知機能又は構成に対する具体的な説明が本発明の要旨を不要に不明確にする虞があると判断される場合、その詳細な説明は省略する。
そして、後述する用語は、本発明における機能を考慮して定義された用語であってこれはユーザ、運用者の意図又は慣例などによって異なることがある。
したがって、その定義は本明細書全般にわたる内容に基づいて行われるものである。本発明の以下に記載の実施形態の中の少なくとも２つの実施形態が必要に応じて組み合わせられ得る。
【００１６】
以下、本発明は、電子装置で画面（コンテンツ）を拡大又は縮小して表示するための技術について説明する。
以下の説明で電子装置はタッチスクリーンを備える各種電子装置を含む。例えば、電子装置は、タッチスクリーンを備える移動通信端末、ＰＤＡ（Ｐｅｒｓｏｎａｌ  Ｄｉｇｉｔａｌ  Ａｓｓｉｓｔａｎｔ）、ラップトップ（Ｌａｐｔｏｐ）コンピュータ、デスクトップ（ｄｅｓｋｔｏｐ）コンピュータ、スマートフォン（Ｓｍａｒｔ  Ｐｈｏｎｅ）、ネットブック（Ｎｅｔｂｏｏｋ）、テレビジョン（Ｔｅｌｅｖｉｓｉｏｎ）、モバイルインターネットデバイス（Ｍｏｂｉｌｅ  Ｉｎｔｅｒｎｅｔ  Ｄｅｖｉｃｅ：ＭＩＤ）、ウルトラモバイルＰＣ（Ｕｌｔｒａ  Ｍｏｂｉｌｅ  ＰＣ：ＵＭＰＣ）、タブレットＰＣ（Ｔａｂｌｅｔ  Ｐｅｒｓｏｎａｌ  Ｃｏｍｐｕｔｅｒ）、ナビゲーション、ＭＰ３プレーヤ、洗濯機、乾燥機、音響機器、セットトップボックス、及びホームコントロール装置などを含む。
【００１７】
以下の説明でタッチはタッチスクリーンに対するタッチ入力を感知及びタッチ入力が維持された状態を示し、タッチ解除はタッチスクリーンに対するタッチ入力が終了された状態を示す。
【００１８】
図１は、本発明の実施形態によるタッチ情報に基づいて生成された四角形の基準領域を示す図である。
電子装置は、表示部に表示されたコンテンツ領域を介して少なくとも１つのタッチを感知する。もし、コンテンツ領域に対する２つのタッチが感知された場合、電子装置は２つのタッチ情報に基づいて四角形の基準領域１０１又は１０２を生成する。
【００１９】
この時、図１に示した基準領域１０１、１０２はタッチ情報に基づいて生成される基準領域１０１、１０２の形態を示すために表示したが、実際の具現ではタッチスクリーン上に表示されない。
しかし、電子装置はユーザの便宜のために基準領域１０１、１０２を表示することもできる。ここで、基準領域は面積変化に基づいて画面を拡大／縮小するための基準になる領域を示す。
【００２０】
タッチ情報に基づいて設定された基準領域１０１又は１０２は、タッチスクリーンに表示されたコンテンツ領域で感知した少なくとも１つのタッチ地点の座標又は少なくとも１つのタッチ地点による交点に基づいて設定され得る。
例えば、電子装置はコンテンツ領域で感知したタッチ地点の座標の中のｘ座標値の最大／最小及びｙ座標値の最大／最小に基づいて四角形の基準領域を形成できる。
ここで、タッチ地点の座標はタッチパネルを基準に決定されるか、解像度を基準に決定されることもできる。
【００２１】
他の例として、タッチスクリーンに表示されたコンテンツ領域の中に２つのタッチが感知された場合、電子装置はピクセルの交点の中のそれぞれのタッチ地点に最も近接する第１交点１０３及び第２交点１０４を検出する。
具体的には、電子装置がそれぞれのタッチ地点に最も近接したピクセルの交点である第１交点１０３及び第２交点１０４を検出する。その後、電子装置は第１交点１０３と第２交点１０４を結ぶ対角線に基づいて少なくとも１つのピクセルが含まれるように基準領域１０１又は１０２を生成する。
【００２２】
例えば、電子装置は第１交点１０３と第２交点１０４を対角とする四角形の基準領域１０１を生成する。この場合、基準領域１０１は総計４２個のピクセル（横ピクセル６個、縦ピクセル７個）を含む。他の例として、電子装置は第１交点１０３と第２交点１０４を連結する線分を対角線とし、第１交点１０３と第２交点１０４を含むピクセルを含むように四角形の基準領域１０２を生成することもできる。この場合、基準領域１０２は総計７２個のピクセル（横ピクセル８個、縦ピクセル９個）を含む。
【００２３】
さらに他の例として、タッチスクリーンに表示されたコンテンツ領域の中に２つのタッチが感知された場合、電子装置はタッチ地点を結ぶ対角線に基づいて少なくとも１つのピクセルが含まれるように基準領域１０１又は１０２を生成する。
例えば、電子装置は第１タッチ地点と第２タッチ地点を対角とする四角形の基準領域１０１を生成する。
【００２４】
（第１）基準領域１０１又は１０２を設定するために使われたタッチの移動１０５（例えば、ドラッグ）によって（第２）基準領域１０６が設定された場合、電子装置は（第１）基準領域１０１又は１０２に対する（第２）基準領域１０６の面積変化に基づいてタッチ機能を決定する。
例えば、（第１）基準領域１０１が４２個のピクセルを含む場合、電子装置は（第２）基準領域１０６に含まれるピクセルの個数が増加したのでコンテンツ領域を拡大できる。
【００２５】
すなわち、電子装置は（第１）基準領域１０１の面積より（第２）基準領域１０６の面積が大きいのでコンテンツ領域を拡大できる。この時、（第１）基準領域１０１と（第２）基準領域１０６の面積差（ピクセル個数の差）がしきい値以下の場合、電子装置はタッチ地点の変化１０５によってスクロールが感知されたと認識することもできる。
他の例として、電子装置は（第１）基準領域１０２と（第２）基準領域１０６の面積が同じ場合、タッチ地点の変化１０５によってスクロールが感知されたと認識できる。
上述した基準領域（１０１、１０２、１０６）の面積、又はピクセル数は表示領域の大きさ、解像度のうち少なくとも１つに基づいて決定され得る。
【００２６】
図２は、本発明の実施形態によるシングルタッチに基づいて生成された四角形の基準領域を示す図である。
以下の説明で電子装置はタッチスクリーンに表示されたコンテンツ領域で１つのタッチであるシングルタッチが感知されたものと仮定し、解像度を基準に基準領域を生成するものと仮定する。
この時、電子装置はタッチスクリーンに表示されたコンテンツ領域を介してユーザ又は物体による少なくとも１つのタッチを感知する。
【００２７】
図２に示すようにタッチが感知された場合、電子装置はピクセルの交点のうちタッチ地点に最も近接した交点２０１を検出する。
例えば、いずれか１つのピクセルに対するタッチが感知された場合、電子装置はタッチが感知されたピクセルに含まれる交点のうちタッチ地点に最も近接した交点２０１を検出する。
【００２８】
その後、電子装置は検出されたピクセルの交点２０１を基準に少なくとも１つのピクセルが含まれるように基準領域（２０２、２０３、２０４）を生成する。
例えば、電子装置は検出されたピクセルの交点２０１を基準に１つのピクセルと同じ面積の基準領域２０２を生成することができる。すなわち、電子装置は検出されたピクセルの交点２０１を中心とする４個のピクセルそれぞれの４分の１のみを含むように基準領域２０２を生成する。
【００２９】
他の例として、電子装置は検出されたピクセルの交点２０１を基準に４個のピクセルが含まれるように基準領域２０３を生成することもできる。すなわち、電子装置は検出されたピクセルの交点２０１を中心に周辺の４個のピクセルを含むように基準領域２０３を生成することもできる。
さらに他の例として、電子装置は検出されたピクセルの交点２０１を基準に１６個のピクセルが含まれるように基準領域２０４を生成することもできる。すなわち、電子装置は検出されたピクセルの交点２０１を中心に周辺の１６個のピクセルを含むように基準領域２０４を生成することもできる。
【００３０】
図３は、本発明の実施形態によるマルチタッチに基づいて生成された四角形の基準領域を示す図である。
以下の説明で電子装置はタッチスクリーンに表示されたコンテンツ領域で２つのタッチが感知されるものと仮定し、解像度を基準に基準領域を生成するものと仮定する。
この時、電子装置はタッチスクリーンに表示されたコンテンツ領域を介してユーザ又は物体による少なくとも１つのタッチを感知する。
【００３１】
図３に示すように２つのタッチが感知された場合、電子装置はピクセルの交点のうち第１タッチ地点に最も近接した第１交点３０１と第２タッチ地点に最も近接した第２交点３０２を検出する。
その後、電子装置は第１交点３０１と第２交点３０２を結ぶ対角線に基づいて少なくとも１つのピクセルを含むように基準領域（３０３、３０４、３０５）を生成する。
【００３２】
例えば、電子装置は第１交点３０１と第２交点３０２を対角とする基準領域３０３を生成することができる。この場合、基準領域は総８個のピクセル（横ピクセル４個、縦ピクセル２個）を含む。
他の例として、電子装置は第１交点３０１と第２交点３０２を連結する線分を対角線とし、第１交点３０１と第２交点３０２を含むピクセルを含むように基準領域３０４を生成することもできる。この場合、基準領域３０４は総２４個のピクセル（横ピクセル６個、縦ピクセル４個）を含む。
さらに他の例として、電子装置は第１交点３０１と第２交点３０２を連結し、第１交点３０１及び第２交点３０２でそれぞれ２個のピクセルだけ拡張した線分を対角線とする基準領域３０５を生成することもできる。この場合、基準領域３０５は総４８個のピクセル（横ピクセル８個、縦ピクセル６個）を含む。
【００３３】
図４の（ａ）及び（ｂ）は、本発明の実施形態によるオフセットを適用して生成された四角形の基準領域を示す図である。
以下の説明で電子装置はタッチスクリーンに表示されたコンテンツ領域で２つのタッチが感知されるものと仮定し、解像度を基準に基準領域を生成するものと仮定する。
この時、電子装置はタッチスクリーンに表示されたコンテンツ領域を介してユーザ又は物体による少なくとも１つのタッチを感知する。
【００３４】
図４の（ａ）に示すように２つのタッチが感知された場合、電子装置はピクセルの交点のうち第１タッチ地点に最も近接した第１交点４０１と第２タッチ地点に最も近接した第２交点４０２を検出する。
その後、電子装置は第１交点４０１と第２交点４０２を結ぶ対角線に基づいて少なくとも１つのピクセルを含むように基準領域を生成する。
例えば、第１交点４０１と第２交点４０２のｘ座標値が同じ場合、電子装置は第１交点４０１及び第２交点４０２のｘ座標値にオフセット（ｏｆｆｓｅｔ）を適用して基準領域４０５を生成できる。
【００３５】
具体的には、電子装置は、図４の（ｂ）に示すように第１交点４０１のｘ座標値にα値を減算して補正された第１交点４０３を生成し、第２交点４０２のｘ座標値にα値を加算して補正された第２交点４０４を生成する。
その後、電子装置は補正された第１交点４０３及び補正された第２交点４０４を結ぶ対角線に基づいて基準領域４０５を生成する。
上述した実施形態で、電子装置は第１交点のｘ座標値と第２交点のｘ座標値が同じ場合、それぞれのｘ座標値にオフセットを適用して基準領域を決定する。
【００３６】
他の実施形態で、電子装置は第１交点のｘ座標値と第２交点のｘ座標値が同じ場合、ｙ座標値の変化値に基づいて基準領域の面積（大きさ）を決定することもできる。
例えば、電子装置は第１交点のｙ座標値と第２交点のｙ座標値の差に対する自乗を基準領域の面積として認識できる。
すなわち、電子装置はｘ座標値の変化値の自乗とｙ座標値の変化値の自乗の合計を基準領域の面積として認識できる。
【００３７】
図５の（ａ）及び（ｂ）は、本発明の他の実施形態によるオフセットを適用して生成された四角形の基準領域を示す図である。
以下の説明で電子装置はタッチスクリーンに表示されたコンテンツ領域で２つのタッチが感知されるものと仮定し、解像度を基準に基準領域を生成するものと仮定する。
この時、電子装置はタッチスクリーンに表示されたコンテンツ領域を介してユーザ又は物体による少なくとも１つのタッチを感知する。
【００３８】
図５の（ａ）に示すように２つのタッチが感知された場合、電子装置はピクセルの交点のうち第１タッチ地点に最も近接した第１交点５０１と第２タッチ地点に最も近接した第２交点５０２を検出する。
その後、電子装置は第１交点５０１と第２交点５０２を結ぶ対角線に基づいて少なくとも１つのピクセルを含むように基準領域を生成する。
例えば、第１交点５０１と第２交点５０２のｙ座標値が同じ場合、電子装置は第１交点５０１及び第２交点５０２のｙ座標値にオフセットを適用して基準領域５０５を生成できる。
【００３９】
具体的には、電子装置は図５の（ｂ）に示すように第１交点５０１のｙ座標値にβ値を減算して補正された第１交点５０３を生成し、第２交点５０２のｙ座標値にβ値を加算して補正された第２交点５０４を生成する。
その後、電子装置は補正された第１交点５０３及び補正された第２交点５０４を結ぶ対角線に基づいて基準領域５０５を生成する。
上述した実施形態で、電子装置は第１交点のｙ座標値と第２交点のｙ座標値が同じ場合、それぞれのｙ座標値にオフセットを適用して基準領域を決定する。
【００４０】
他の実施形態で、電子装置は第１交点のｙ座標値と第２交点のｙ座標値が同じ場合、ｘ座標値の変化値に基づいて基準領域の面積（大きさ）を決定することもできる。
例えば、電子装置は第１交点のｘ座標値と第２交点のｘ座標値の差に対する自乗を基準領域の面積として認識できる。
すなわち、電子装置はｘ座標値の変化値の自乗とｙ座標値の変化値の自乗の合計を基準領域の面積として認識できる。
【００４１】
上述のように電子装置はタッチスクリーンに表示されたコンテンツ領域を介してユーザ又は物体による少なくとも１つのタッチを感知する。
もし、複数個のタッチが感知された場合、電子装置は各タッチに対する座標値を決定する。
図６は、本発明の実施形態による基準領域を生成するためのタッチ座標を収集する構成を示す図である。
【００４２】
具体的には、電子装置は、図６で第１タッチが感知された場合、第１タッチ座標値（ｘ座標値及びｙ座標値）６０１を決定し、第２タッチが感知された場合、第２タッチ座標値（ｘ座標値及びｙ座標値）６０３を決定する。
その後、電子装置は第３タッチが感知された場合、第３タッチ座標値（ｘ座標値及びｙ座標値）６０５を決定してメモリに格納する。
この時、電子装置はタッチ座標テーブルを生成して格納することもできる。その後、電子装置はメモリに格納されたタッチ座標値に基づいて基準領域を生成する。
【００４３】
もし、基準個数より少ない数のタッチが感知された場合、電子装置は最後に感知されたタッチまでの座標値を決定してメモリに格納する。
例えば、基準個数が４であるが第３タッチが感知された後、基準時間の間に次のタッチが感知されない場合、電子装置は第３タッチが最後に感知したタッチであると認識できる。
【００４４】
他の例として、電子装置は基準個数までのタッチを感知した後、それぞれのタッチに対する座標値を決定することもできる。
具体的には、図６に示すように３個のタッチが感知された場合、電子装置はタッチ数を３に決定した後、第１タッチ座標値（ｘ座標値及びｙ座標値）６０１を決定し、第２タッチ座標値（ｘ座標値及びｙ座標値）６０３を決定する。
その後、電子装置は第３タッチ座標値（ｘ座標値及びｙ座標値）６０５を決定してメモリに格納する。
この時、電子装置はタッチ座標テーブルを生成して格納することもできる。その後、電子装置はメモリに格納されたタッチ座標値を考慮して基準領域を生成できる。
【００４５】
図７は、本発明の実施形態によるシングルタッチによって生成された基準領域の面積変化を考慮したスクロールを示す図である。
図７に示すように、電子装置は第１タッチが感知された場合、第１タッチ情報に基づいて第１基準領域７０１を生成する。
もし、第１タッチが移動した場合、電子装置は第１タッチの移動に対応して第２基準領域７０３を生成する。
この時、電子装置は第１基準領域７０１と第２基準領域７０３の面積変化量、ピクセルの個数変化量及び面積変化率のうち少なくとも１つに基づいて第１タッチ移動によるスクロール動作を行う。
【００４６】
例えば、第１基準領域７０１と第２基準領域７０３のピクセル数の変化量がしきい値を超えない場合、電子装置は第１タッチの移動に対応してタッチスクリーンに表示されたコンテンツをスクロールする。
具体的には、第１基準領域７０１に４個のピクセルが含まれ、第１変化量が０個、第２変化量が１０個のピクセルであると仮定した状態で第１基準領域７０１と第２基準領域７０３のピクセル数の変化量が０個の場合、電子装置はタッチスクリーンに表示されたコンテンツをタッチ地点の移動に対応してスクロールする。
すなわち、電子装置は第１基準領域７０１と第２基準領域７０３のピクセル数の変化量が第１変化量以上かつ第２変化量未満と判断された場合、タッチ地点の移動に対応してタッチスクリーンに表示されたコンテンツをスクロールできる。ここで、第１変化量はコンテンツ領域に対して縮小するかどうかを決定する縮小しきい値を示し、第２変化量はコンテンツ領域に対して拡大するかどうかを決定する拡大しきい値を示す。
【００４７】
他の例として、第１基準領域７０１と第２基準領域７０３の面積の変化量がしきい値を超えない場合、電子装置は第１タッチの移動に対応してタッチスクリーンに表示されたコンテンツをスクロールする。
具体的には、第１基準領域７０１の面積が８４ｍｍ２で、第１変化量が０ｍｍ２、第２変化量が２０ｍｍ２と仮定した状態で第１基準領域７０１と第２基準領域７０３の面積の変化量が０ｍｍ２の場合、電子装置はタッチスクリーンに表示されたコンテンツをタッチ地点の移動に対応してスクロールする。
すなわち、電子装置は第１基準領域７０１と第２基準領域７０３の面積変化量が第１変化量以上かつ第２変化量未満と判断された場合、電子装置はタッチ地点の移動に対応してタッチスクリーンに表示されたコンテンツをスクロールできる。ここで、第１変化量はコンテンツ領域に対して縮小するかどうかを決定する縮小しきい値を示し、第２変化量はコンテンツ領域に対して拡大するかどうかを決定する拡大しきい値を示す。
【００４８】
さらに他の例として、第１基準領域７０１と第２基準領域７０３の面積の変化率がしきい値を超えない場合、電子装置は第１タッチの移動に対応してタッチスクリーンに表示されたコンテンツをスクロールすることもできる。
【００４９】
図８Ａ及び図８Ｂは、本発明の実施形態による基準領域の面積変化に基づいてスクロールダウンを示す図である。
図８Ａに示すように電子装置はタッチスクリーンに表示されたコンテンツ領域で感知された少なくとも１つのタッチ情報に基づいて第１基準領域８０１を生成する。
例えば、電子装置はタッチ地点に対するｘ座標値の中の最大値及び最小値とｙ座標値の中の最大値及び最小値に基づいて第１基準領域８０１を生成する。
【００５０】
他の例として、電子装置はタッチ地点に最も近接した交点を結ぶ線分に基づいて第１基準領域８０１を生成することもできる。
もし、１つのタッチが感知された場合、電子装置はタッチ地点の座標値を中心に最小単位の四角形の基準領域８０１を生成することもできる。ここで、最小単位は０以上の値に設定されることもできる。
【００５１】
少なくとも１つのタッチに対する移動が感知された場合、電子装置は変更されたタッチ情報に基づいて第２基準領域８０３を生成する。
その後、電子装置は第１基準領域８０１と第２基準領域８０３の面積変化がしきい値以下の場合、タッチ地点の移動に対応してコンテンツ領域をスクロールダウン（ｄｏｗｎ）する。
この時、面積変化は第１基準領域８０１と第２基準領域８０３の面積変化量、ピクセルの個数変化量、及び面積変化率のうち少なくとも１つで表すことができる。例えば、第１基準領域８０１と第２基準領域８０３の面積変化量がしきい値以下の場合、電子装置はタッチ地点の移動に対応してコンテンツ領域をスクロールダウンできる。
ここで、しきい値は電子装置の機能設定によって予め決められた値であって、ユーザの設定によって変更できる。また、コンテンツ領域は電子装置のタッチスクリーンに表示されたオブジェクト（ｏｂｊｅｃｔ）を含むことができる。また、オブジェクトはグラフィックオブジェクトを含むことができる。
【００５２】
上述のように電子装置は、第１基準領域８０１と第２基準領域８０３の面積変化がしきい値以下の場合、タッチ地点の移動に対応してコンテンツ領域をスクロールダウンする。
具体的には、２つのタッチが感知された場合、電子装置は図８Ｂに示すようにタッチスクリーンに表示されたコンテンツ領域をスクロールダウンする。
ここで、面積変化は第１基準領域８０１と第２基準領域８０３の面積変化量、ピクセルの個数変化量、及び面積変化率のうち少なくとも１つで表すことができる。
【００５３】
図８Ｂに示すように２つのタッチが感知された場合、電子装置は第１タッチ地点に最も近接した第１交点８１１及び第２タッチ地点に最も近接した第２交点８１３を検出する。
その後、電子装置は第１交点８１１及び第２交点８１３に基づいて第１基準領域８１５を生成する。
例えば、電子装置は交点（８１１、８１３）に対するｘ座標値の中の最大値及び最小値とｙ座標値の中の最大値及び最小値に基づいて第１基準領域８１５を生成する。
他の例として、電子装置は第１交点８１１及び第２交点８１３を結ぶ線分に基づいて第１基準領域８１５を生成することもできる。
【００５４】
第１タッチ及び第２タッチのうち少なくとも１つのタッチに対する移動が感知された場合、電子装置は変更されたタッチ情報に基づいて第２基準領域８１７を生成する。
その後、電子装置は第１基準領域８１５と第２基準領域８１７の面積変化がしきい値以下の場合、タッチ地点の移動に対応してコンテンツ領域をスクロールダウンする。
この時、面積変化は第１基準領域８１５と第２基準領域８１７の面積変化量、ピクセルの個数変化量、及び面積変化率のうち少なくとも１つで表すことができる。
【００５５】
例えば、第１基準領域８１５と第２基準領域８１７のピクセル数の変化量がしきい値を超えない場合、電子装置はタッチに対する移動に対応してタッチスクリーンに表示されたコンテンツをスクロールダウンする。
具体的には、第１基準領域８１５に２０個のピクセルが含まれ、第１変化量が０個、第２変化量が２０個のピクセルであると仮定した状態で第１基準領域８１５と第２基準領域８１７のピクセル数の変化量が０個の場合、電子装置はタッチスクリーンに表示されたコンテンツをタッチ地点の移動に対応してスクロールダウンする。すなわち、電子装置は第１基準領域８１５と第２基準領域８１７のピクセル数の変化量が第１変化量以上かつ第２変化量未満と判断された場合、タッチ地点の移動に対応してタッチスクリーンに表示されたコンテンツをスクロールダウンできる。ここで、第１変化量はコンテンツ領域に対して縮小するかどうかを決定する縮小しきい値を示し、第２変化量はコンテンツ領域に対して拡大するかどうかを決定する拡大しきい値を示す。
【００５６】
他の例として、第１基準領域８１５と第２基準領域８１７の面積の変化量がしきい値を超えない場合、電子装置はタッチ地点に対する移動に対応してタッチスクリーンに表示されたコンテンツをスクロールダウンできる。
具体的には、第１基準領域８１５の面積が８４ｍｍ２で、第１変化量が０ｍｍ２、第２変化量が２０ｍｍ２と仮定した状態で第１基準領域８１５と第２基準領域８１７の面積の変化量が１５ｍｍ２の場合、電子装置はタッチスクリーンに表示されたコンテンツをタッチ地点の移動に対応してスクロールダウンできる。
すなわち、電子装置は第１基準領域８１５と第２基準領域８１７の面積変化量が第１変化量以上かつ第２変化量未満と判断された場合、電子装置はタッチ地点の移動に対応してタッチスクリーンに表示されたコンテンツをスクロールダウンできる。ここで、第１変化量はコンテンツ領域に対して縮小するかどうかを決定する縮小しきい値を示し、第２変化量はコンテンツ領域に対して拡大するかどうかを決定する拡大しきい値を示す。
【００５７】
さらに他の例として、第１基準領域８１５と第２基準領域８１７の面積の変化率がしきい値を超えない場合、電子装置は第１タッチの移動に対応してタッチスクリーンに表示されたコンテンツをスクロールダウンすることもできる。
【００５８】
図９Ａ及び図９Ｂは、本発明の実施形態による基準領域の面積変化に基づいてスクロールアップを示す図である。
図９Ａに示すように電子装置はタッチスクリーンに表示されたコンテンツ領域で感知された少なくとも１つのタッチ情報に基づいて第１基準領域９０１を生成する。
例えば、電子装置はタッチ地点に対するｘ座標値の中の最大値及び最小値とｙ座標値の中の最大値及び最小値に基づいて第１基準領域９０１を生成する。
【００５９】
他の例として、電子装置はタッチ地点に最も近接した交点を結ぶ線分に基づいて第１基準領域９０１を生成することもできる。
もし、１つのタッチが感知された場合、電子装置はタッチ地点の座標値を中心に最小単位の四角形の基準領域９０１を生成することもできる。ここで、最小単位は０以上の値に設定され得る。
少なくとも１つのタッチに対する移動が感知された場合、電子装置は変更されたタッチ情報に基づいて第２基準領域９０３を生成する。
その後、電子装置は第１基準領域９０１と第２基準領域９０３の面積変化がしきい値以下の場合、タッチ地点の移動に対応してコンテンツ領域をスクロールアップ（ｕｐ）する。
【００６０】
この時、面積変化は第１基準領域９０１と第２基準領域９０３の面積変化量、ピクセルの個数変化量、及び面積変化率のうち少なくとも１つで表すことができる。
例えば、第１基準領域９０１と第２基準領域９０３の面積変化量がしきい値以下の場合、電子装置はタッチ地点の移動に基づいてコンテンツ領域をスクロールアップする。
ここで、しきい値は電子装置の機能設定によって予め決められた値であって、ユーザの設定によって変更できる。また、コンテンツ領域は電子装置のタッチスクリーンに表示されたオブジェクトを含むことができる。また、オブジェクトはグラフィックオブジェクトを含むことができる。
【００６１】
上述のように電子装置は第１基準領域９０１と第２基準領域９０３の面積変化がしきい値以下の場合、タッチ地点の移動に対応してコンテンツ領域をスクロールアップする。
具体的には、２つのタッチが感知された場合、電子装置は図９Ｂに示すようにタッチスクリーンに表示されたコンテンツ領域をスクロールアップする。
ここで、面積変化は第１基準領域９０１と第２基準領域９０３の面積変化量、ピクセルの個数変化量及び面積変化率のうち少なくとも１つで表すことができる。
【００６２】
図９Ｂに示すように２つのタッチが感知された場合、電子装置は第１タッチ地点に最も近接した第１交点９１１及び第２タッチ地点に最も近接した第２交点９１３を検出する。
その後、電子装置は第１交点９１１及び第２交点９１３に基づいて第１基準領域９１５を生成する。
例えば、電子装置は交点９１１、９１３に対するｘ座標値の中の最大値及び最小値とｙ座標値の中の最大値及び最小値に基づいて第１基準領域９１５を生成する。
他の例として、電子装置は第１交点９１１及び第２交点９１３を結ぶ線分に基づいて第１基準領域９１５を生成することもできる。
【００６３】
第１タッチ及び第２タッチのうち少なくとも１つのタッチに対する移動が感知された場合、電子装置は変更されたタッチ情報に基づいて第２基準領域９１７を生成する。
その後、電子装置は第１基準領域９１５と第２基準領域９１７の面積変化がしきい値以下の場合、タッチ地点の移動に対応してコンテンツ領域をスクロールアップする。
この時、面積変化は第１基準領域９１５と第２基準領域９１７の面積変化量、ピクセルの個数変化量及び面積変化率のうち少なくとも１つで表すことができる。
【００６４】
図１０Ａ及び図１０Ｂは、本発明の実施形態による基準領域の面積変化に基づいて画面拡大を示す図である。
図１０Ａに示すように電子装置はタッチスクリーンに表示されたコンテンツ領域で感知された少なくとも１つのタッチ情報を考慮して第１基準領域１００１を生成する。
少なくとも１つのタッチに対する移動が感知された場合、電子装置は変更されたタッチ情報に基づいて第２基準領域１００３を生成する。
その後、電子装置は第１基準領域１００１と第２基準領域１００３の面積変化量、ピクセルの個数変化量、及び面積変化率のうち少なくとも１つに基づいてコンテンツ領域に対して拡大又は縮小をするかどうかを決定する。
【００６５】
例えば、第２基準領域１００３の面積が第１基準領域１００１の面積より拡大しきい値を超えるほど大きい場合、電子装置はタッチスクリーンに表示されたコンテンツ領域を拡大して表示する。
この時、電子装置は第１基準領域１００１と第２基準領域１００３の面積変化量に対応して拡大倍率を決定することもできる。
他の例として、第２基準領域１００３に含まれるピクセルの個数が第１基準領域１００１に含まれるピクセルの個数より拡大しきい値を超えるほど多い場合、電子装置はタッチスクリーンに表示されたコンテンツ領域を拡大して表示できる。
この時、電子装置は第１基準領域１００１と第２基準領域１００３のピクセル個数の変化量に対応して拡大倍率を決定することもできる。
【００６６】
さらに他の例として、第１基準領域１００１と第２基準領域１００３の面積変化率が拡大しきい値を超える場合、電子装置はタッチスクリーンに表示されたコンテンツ領域を拡大して表示することもできる。
この時、電子装置は第１基準領域１００１と第２基準領域１００３の面積変化率の大きさに対応して拡大倍率を決定することもできる。
ここで、拡大しきい値は電子装置の機能設定によって予め決められた値であって、ユーザの設定によって変更できる。
また、コンテンツ領域は電子装置のタッチスクリーンに表示されたオブジェクトを含むことができる。また、オブジェクトはグラフィックオブジェクトを含むことができる。
【００６７】
上述のように電子装置は第１基準領域１００１と第２基準領域１００３の面積変化量、ピクセルの個数変化量、及び面積変化率のうち少なくとも１つに基づいてコンテンツ領域を拡大して表示する。
具体的には、２つのタッチが感知された場合、電子装置は図１０Ｂに示すようにタッチスクリーンに表示されたコンテンツ領域を拡大して表示する。
図１０Ｂに示すように２つのタッチが感知された場合、電子装置は第１タッチ地点に最も近接した第１交点１０１１及び第２タッチ地点に最も近接した第２交点１０１３を検出する。
その後、電子装置は第１交点１０１１及び第２交点１０１３に基づいて第１基準領域１０１５を生成する。
【００６８】
例えば、電子装置は第１交点１０１１及び第２交点１０１３を結ぶ線分を対角線とし、第１交点１０１１及び第２交点１０１３を含むピクセルを含むように第１基準領域１０１５を生成する。
他の例として、電子装置は交点（１０１１、１０１３）に対するｘ座標値の中の最大値及び最小値とｙ座標値の中の最大値及び最小値に基づいて第１基準領域１０１５を生成する。
この時、電子装置はｘ座標値の最大／最小値とｙ座標値の最大／最小値にオフセットを適用して第１基準領域１０１５を生成する。
【００６９】
第１タッチ及び第２タッチに対する移動が感知された場合、電子装置は変更されたタッチ情報（１０２１、１０２３）に基づいて第２基準領域１０２５を生成する。
その後、電子装置は第１基準領域１０１５と第２基準領域１０２５の面積変化量、ピクセルの個数変化量、及び面積変化率のうち少なくとも１つに基づいてコンテンツ領域に対して拡大又は縮小するかどうかを決定する。
【００７０】
例えば、第２基準領域１０２５の面積が第１基準領域１０１５の面積より拡大しきい値を超えるほど大きい場合、電子装置はタッチスクリーンに表示されたコンテンツ領域を拡大して表示する。
この時、電子装置は第１基準領域１０１５と第２基準領域１０２５の面積変化量に対応して拡大倍率を決定することもできる。
【００７１】
他の例として、第２基準領域１０２５に含まれるピクセルの個数（９０個）が第１基準領域１０１５に含まれるピクセルの個数（３０個）より拡大しきい値を超えるほど多い場合、電子装置はタッチスクリーンに表示されたコンテンツ領域を拡大して表示できる。
この時、電子装置は第１基準領域１０１５と第２基準領域１０２５のピクセル個数の変化量に対応して拡大倍率を決定することもできる。
さらに他の例として、第１基準領域１０１５と第２基準領域１０２５の面積変化率が拡大しきい値を超える場合、電子装置はタッチスクリーンに表示されたコンテンツ領域を拡大して表示することもできる。この時、電子装置は第１基準領域１０１５と第２基準領域１０２５の面積変化率の大きさに対応して拡大倍率を決定することもできる。
【００７２】
図１１Ａ及び図１１Ｂは、本発明の実施形態による基準領域の面積変化に基づいて画面縮小を示す図である。
図１１Ａに示すように電子装置はタッチスクリーンに表示されたコンテンツ領域で感知された少なくとも１つのタッチ情報に基づいて第１基準領域１１０１を生成する。
少なくとも１つのタッチに対する移動が感知された場合、電子装置は変更されたタッチ情報を考慮して第２基準領域１１０３を生成する。
その後、電子装置は第１基準領域１１０１と第２基準領域１１０３の面積変化量、ピクセルの個数変化量、及び面積変化率のうち少なくとも１つに基づいてコンテンツ領域に対して拡大又は縮小するかどうかを決定する。
【００７３】
例えば、第２基準領域１１０３の面積が第１基準領域１１０１の面積より縮小しきい値を超えるほど小さい場合、電子装置はタッチスクリーンに表示されたコンテンツ領域を縮小して表示する。
この時、電子装置は第１基準領域１１０１と第２基準領域１１０３の面積変化量に対応して縮小倍率を決定することもできる。
他の例として、第２基準領域１１０３に含まれるピクセルの個数が第１基準領域１１０１に含まれるピクセルの個数より縮小しきい値を超えるほど小さい場合、電子装置はタッチスクリーンに表示されたコンテンツ領域を縮小して表示できる。
この時、電子装置は第１基準領域１１０１と第２基準領域１１０３のピクセル個数の変化量に対応して縮小倍率を決定することもできる。
【００７４】
さらに他の例として、第１基準領域１１０１と第２基準領域１１０３の面積変化率が縮小しきい値を以下の場合、電子装置はタッチスクリーンに表示されたコンテンツ領域を縮小して表示することもできる。
この時、電子装置は第１基準領域１１０１と第２基準領域１１０３の面積変化率の大きさに対応して縮小倍率を決定することもできる。
ここで、縮小しきい値は電子装置の機能設定によって予め決められた値であって、ユーザの設定によって変更できる。
また、コンテンツ領域は電子装置のタッチスクリーンに表示されたオブジェクトを含むことができる。また、オブジェクトはグラフィックオブジェクトを含むことができる。
【００７５】
上述のように電子装置は第１基準領域１１０１と第２基準領域１１０３の面積変化量、ピクセルの個数変化量、及び面積変化率のうち少なくとも１つに基づいてコンテンツ領域を縮小して表示する。
具体的には、２つのタッチが感知された場合、電子装置は図１１Ｂに示すようにタッチスクリーンに表示されたコンテンツ領域を縮小して表示する。
図１１Ｂに示すように２つのタッチが感知された場合、電子装置は第１タッチ地点に最も近接した第１交点１１１１及び第２タッチ地点に最も近接した第２交点１１１３を検出する。
その後、電子装置は第１交点１１１１及び第２交点１１１３を考慮して第１基準領域１１１５を生成する。
【００７６】
例えば、電子装置は第１交点１１１１及び第２交点１１１３を結ぶ線分を対角線とし、第１交点１１１１及び第２交点１１１３を含むピクセルを含むように第１基準領域１１１５を生成する。
他の例として、電子装置は交点（１１１１、１１１３）に対するｘ座標値の中の最大値及び最小値とｙ座標値の中の最大値及び最小値に基づいて第１基準領域１１１５を生成する。
この時、電子装置はｘ座標値の最大／最小値とｙ座標値の最大／最小値にオフセットを適用して第１基準領域１１１５を生成する。
第１タッチ及び第２タッチに対する移動が感知された場合、電子装置は変更されたタッチ情報（１１２１、１１２３）に基づいて第２基準領域１１２５を生成する。
その後、電子装置は第１基準領域１１１５と第２基準領域１１２５の面積変化量、ピクセルの個数変化量、及び面積変化率のうち少なくとも１つに基づいてコンテンツ領域に対して拡大又は縮小するかどうかを決定する。
【００７７】
例えば、第２基準領域１１２５の面積が第１基準領域１１１５の面積より縮小しきい値を超えるほど小さい場合、電子装置はタッチスクリーンに表示されたコンテンツ領域を縮小して表示する。
この時、電子装置は第１基準領域１１１５と第２基準領域１１２５の面積変化量に対応して縮小倍率を決定することもできる。
【００７８】
他の例として、第２基準領域１１２５に含まれるピクセルの個数（３０個）が第１基準領域１１１５に含まれるピクセルの個数（９０個）より縮小しきい値を超えるほど小さい場合、電子装置はタッチスクリーンに表示されたコンテンツ領域を縮小して表示できる。
この時、電子装置は第１基準領域１１１５と第２基準領域１１２５のピクセル個数の変化量に対応して縮小倍率を決定することもできる。
さらに他の例として、第１基準領域１１１５と第２基準領域１１２５の面積変化率が縮小しきい値以下の場合、電子装置はタッチスクリーンに表示されたコンテンツ領域を縮小して表示することもできる。
この時、電子装置は第１基準領域１１１５と第２基準領域１１２５の面積変化率の大きさに対応して縮小倍率を決定することもできる。
【００７９】
図１２は、本発明の実施形態によるマルチタッチによるスクロールを示す図である。
図１２に示すようにタッチスクリーンに表示されたコンテンツ領域を介して３個のタッチ（１２０１、１２０３、１２０５）が感知された場合、電子装置は各タッチ（１２０１、１２０３、１２０５）に対するｘ座標値とｙ座標値を比較してｘ座標値の最大／最小値とｙ座標値の最大／最小値を決定する。
その後、電子装置はｘ座標値の最大／最小値とｙ座標値の最大／最小値に基づいて第１基準領域１２０７を生成する。
少なくとも１つのタッチに対する移動が感知され、１つのタッチが解除された場合、電子装置はタッチ地点の変更に対応して変更されたタッチ情報に基づいて第２基準領域１２０９を生成する。
【００８０】
例えば、電子装置はタッチ地点の移動によるタッチ情報に基づいてｘ座標値の最大／最小値とｙ座標値の最大／最小値を決定する。
その後、電子装置はｘ座標値の最大／最小値とｙ座標値の最大／最小値に基づいて第２基準領域１２０９を生成する。
その後、電子装置は第１基準領域１２０７と第２基準領域１２０９の面積変化がしきい値以下の場合、タッチ地点の移動にに基づいてコンテンツ領域をスクロールダウンする。
この時、面積変化は第１基準領域１２０７と第２基準領域１２０９の面積変化量、ピクセルの個数変化量、及び面積変化率のうち少なくとも１つで表すことができる。
【００８１】
例えば、第１基準領域１２０７と第２基準領域１２０９の面積変化量がしきい値以下の場合、電子装置はタッチ地点の移動に対応してコンテンツ領域をスクロールダウンする。
ここで、しきい値は電子装置の機能設定によって予め決められた値であって、ユーザの設定によって変更できる。また、コンテンツ領域は電子装置のタッチスクリーンに表示されたオブジェクトを含むことができる。また、オブジェクトはグラフィックオブジェクトを含むことができる。
【００８２】
図１３は、本発明の他の実施形態によるマルチタッチによるスクロールを示す図である。
図１３に示すようにタッチスクリーンに表示されたコンテンツ領域を介して２つのタッチ（１３０１、１３０３）が感知された場合、電子装置は各タッチ（１３０１、１３０３）に対するｘ座標値とｙ座標値を比較してｘ座標値の最大／最小値とｙ座標値の最大／最小値を決定する。
その後、電子装置はｘ座標値の最大／最小値とｙ座標値の最大／最小値に基づいて第１基準領域１３０５を生成する。
少なくとも１つのタッチに対する移動が感知され、１つのタッチ１３１１が追加的に感知された場合、電子装置はタッチ地点の変更に対応して変更されたタッチ情報及び追加的なタッチ情報１３１１に基づいて第２基準領域１３１３を生成する。
【００８３】
例えば、電子装置はタッチ地点の移動によるタッチ情報及び追加的なタッチ情報１３１１に基づいてｘ座標値の最大／最小値とｙ座標値の最大／最小値を決定する。
その後、電子装置はｘ座標値の最大／最小値とｙ座標値の最大／最小値に基づいて第２基準領域１３１３を生成する。
その後、電子装置は第１基準領域１３０５と第２基準領域１３１３の面積変化がしきい値以下の場合、タッチ地点の移動に対応してコンテンツ領域をスクロールダウンする。
この時、面積変化は第１基準領域１３０５と第２基準領域１３１３の面積変化量、ピクセルの個数変化量、及び面積変化率のうち少なくとも１つで表すことができる。
【００８４】
例えば、第１基準領域１３０５と第２基準領域１３１３の面積変化量がしきい値以下の場合、電子装置はタッチ地点の移動に対応してコンテンツ領域をスクロールダウンする。
ここで、しきい値は電子装置の機能設定によって予め決められた値であって、ユーザの設定によって変更できる。
また、コンテンツ領域は電子装置のタッチスクリーンに表示されたオブジェクトを含むことができる。また、オブジェクトはグラフィックオブジェクトを含むことができる。
【００８５】
上述した実施形態で、電子装置はタッチ情報に基づいて拡大又は縮小を決定するための四角形の基準領域を生成する。
この時、電子装置はタッチ情報に対応して正方形の基準領域又は長方形形態の基準領域を生成できる。
他の実施形態で、電子装置は四角形だけでなく三角形、五角形、六角形、菱形などのような多角形、円形（ｃｉｒｃｌｅ）、楕円形（ｏｖａｌ）の形態に基準領域を生成できる。
この時、電子装置はタッチ移動の前後で同一形態の基準領域を生成する。
【００８６】
図１４（ａ）及び（ｂ）は、本発明の実施形態によるシングルタッチに基づいて生成された円形の基準領域を示す図である。
電子装置はタッチスクリーンに表示されたコンテンツ領域を介してユーザ又は物体による少なくとも１つのタッチを感知する。
以下の説明で電子装置はタッチスクリーンに表示されたコンテンツ領域で１つのタッチであるシングルタッチが感知されるものと仮定する。
【００８７】
図１４の（ａ）に示すように第１タッチが感知された場合、電子装置は第１タッチ情報を基準に基準長さの直径を有する円形の基準領域１４０３を生成する。
例えば、電子装置は第１タッチ地点１４００を中心に基準長さの直径を有する円形の第１基準領域１４０３を生成する。
他の例として、電子装置はピクセルの交点のうち第１タッチ地点１４００に最も近接した交点を検出する。その後、電子装置は検出した交点を中心に基準長さの直径を有する円形の第１基準領域１４０３を生成することもできる。
【００８８】
図１４の（ｂ）に示すように第１タッチが移動した場合、電子装置は第１タッチの移動した位置情報に基づいて第２基準領域１４０５を生成する。
例えば、電子装置は第１タッチの移動地点を中心に基準長さの直径を有する円形の第２基準領域１４０５を生成する。
他の例として、電子装置はピクセルの交点の中の第１タッチの移動地点に最も近接した交点を検出する。その後、電子装置は検出した交点を中心に基準長さの直径を有する円形の第２基準領域１４０５を生成することもできる。
【００８９】
この時、電子装置は第１基準領域１４０３と第２基準領域１４０５の面積変化量及び面積変化率の中の少なくとも１つに基づいて第１タッチ移動によるスクロール動作を行う。
例えば、第１基準領域１４０３と第２基準領域１４０５の面積の変化量がしきい値を超えない場合、電子装置は第１タッチの移動に対応してタッチスクリーンに表示されたコンテンツをスクロールする。
【００９０】
具体的には、第１基準領域１４０３の面積が８４ｍｍ２で、第１変化量が０ｍｍ２、第２変化量が２０ｍｍ２と仮定した状態で第１基準領域１４０３と第２基準領域１４０５の面積の変化量が０ｍｍ２の場合、電子装置はタッチスクリーンに表示されたコンテンツをタッチ地点の移動に対応してスクロールする。
すなわち、電子装置は第１基準領域１４０３と第２基準領域１４０５の面積変化量が第１変化量以上かつ第２変化量未満と判断された場合、電子装置はタッチ地点の移動に対応してタッチスクリーンに表示されたコンテンツをスクロールする。
ここで、第１変化量はコンテンツ領域に対して縮小するかどうかを決定する縮小しきい値を示し、第２変化量はコンテンツ領域に対して拡大するかどうかを決定する拡大しきい値を示す。
【００９１】
他の例として、第１基準領域１４０３と第２基準領域１４０５の面積の変化率がしきい値を超えない場合、電子装置は第１タッチの移動に対応してタッチスクリーンに表示されたコンテンツをスクロールすることもできる。
【００９２】
図１５（ａ）及び（ｂ）は、本発明の実施形態によるマルチタッチを考慮して生成された円形の基準領域を示す図である。
電子装置はタッチスクリーンに表示されたコンテンツ領域を介してユーザ又は物体による少なくとも１つのタッチを感知する。
以下の説明で電子装置はタッチスクリーンに表示されたコンテンツ領域で２つのタッチが感知されるものと仮定する。
【００９３】
図１５の（ａ）に示すように２つのタッチが感知された場合、電子装置はタッチ情報に基づいて設定された直径を有する円形の基準領域１５０５を生成する。
例えば、電子装置は第１タッチ地点１５０１と第２タッチ地点１５０３を結ぶ線分を直径とする円形の第１基準領域１５０５を生成する。
他の例として、電子装置はピクセルの交点のうち第１タッチ地点１５０１に最も近接した第１交点及び第２タッチ地点１５０３に最も近接した第２交点を検出する。
その後、電子装置は第１交点と第２交点を結ぶ線分を直径とする円形の第１基準領域１５０５を生成することもできる。
【００９４】
図１５の（ｂ）に示すように少なくとも１つのタッチが移動した場合、電子装置は変更されたタッチ情報に基づいて第２基準領域１５０７を生成する。
例えば、電子装置は変更されたタッチ地点を結ぶ線分を直径とする円形の第２基準領域１５０７を生成する。
他の例として、電子装置はピクセルの交点のうち変更されたタッチ地点に最も近接した交点を検出する。
その後、電子装置は検出した交点を結ぶ線分を直径とする円形の第２基準領域１５０７を生成することもできる。
この時、電子装置は第１基準領域１５０５と第２基準領域１５０７の面積変化量又は面積変化率に基づいてタッチ移動によるスクロール動作を行う。
【００９５】
例えば、第１基準領域１５０５と第２基準領域１５０７の面積の変化量がしきい値を超えない場合、電子装置はタッチ移動に対応してタッチスクリーンに表示されたコンテンツをスクロールする。
具体的には、電子装置は第１基準領域１５０５と第２基準領域１５０７の面積変化量が第１変化量以上かつ第２変化量未満と判断された場合、電子装置はタッチ移動に対応してタッチスクリーンに表示されたコンテンツをスクロールする。
ここで、第１変化量はコンテンツ領域に対して縮小するかどうかを決定する縮小しきい値を示し、第２変化量はコンテンツ領域に対して拡大するかどうかを決定する拡大しきい値を示す。
他の例として、第１基準領域１５０５と第２基準領域１５０７の面積の変化率がしきい値を超えない場合、電子装置はタッチ移動に対応してタッチスクリーンに表示されたコンテンツをスクロールすることもできる。
【００９６】
図１６（ａ）及び（ｂ）は、本発明の実施形態によるマルチタッチの位置変化によるオブジェクトの方向性変化を示す図である。
電子装置はタッチスクリーンに表示されたコンテンツ領域を介してユーザ又は物体による少なくとも１つのタッチを感知する。
以下の説明で電子装置はタッチスクリーンに表示されたコンテンツ領域で２つのタッチが感知されるものと仮定する。
図１６の（ａ）に示すように２つのタッチが感知された場合、電子装置はタッチ情報（１６０１、１６０３）に基づいて設定された直径を有する円形の基準領域１６０５を生成する。
【００９７】
図１６の（ｂ）に示すようにタッチが第１基準領域１６０５の中心を基準に回転移動する場合、電子装置は変更されたタッチ情報に基づいて第２基準領域１６０７を生成する。
もし、第１基準領域１６０５と第２基準領域１６０７の位置が同じで、第１基準領域１６０５と第２基準領域１６０７の面積が同じであるか、又は第１基準領域１６０５と第２基準領域１６０７の面積変化量がしきい値以下の場合、電子装置はタッチ地点の変更によるいずれの機能も実行しない。
他の例として、電子装置はタッチの回転移動に対応してタッチスクリーンに表示されたオブジェクトを回転させることができる。
さらに他の例として、電子装置はタッチの回転移動に対応してタッチスクリーンに表示されたコンテンツ領域をスクロールすることもできる。
【００９８】
図１７（ａ）及び（ｂ）は、本発明の実施形態による円形に構成された基準領域の面積変化に基づいて画面拡大を示す図である。
電子装置はタッチスクリーンに表示されたコンテンツ領域を介してユーザ又は物体による少なくとも１つのタッチを感知する。
以下の説明で電子装置はタッチスクリーンに表示されたコンテンツ領域で２つのタッチが感知されるものと仮定する。
図１７の（ａ）に示すように２つのタッチが感知された場合、電子装置はタッチ情報（１７０１、１７０３）に基づいて設定された直径を有する円形の基準領域１７０５を生成する。
【００９９】
図１７の（ｂ）に示すように少なくとも１つのタッチが移動した場合、電子装置は変更されたタッチ情報に基づいて第２基準領域１７０７を生成する。
この時、電子装置は第１基準領域１７０５と第２基準領域１７０７の面積変化量及び面積変化率のうち少なくとも１つに基づいてコンテンツ領域に対して拡大又は縮小するかどうかを決定する。
例えば、第２基準領域１７０７の面積が第１基準領域１７０５の面積より拡大しきい値を超えるほど大きい場合、電子装置はタッチスクリーンに表示されたコンテンツ領域を拡大して表示する。この時、電子装置は第１基準領域１７０５と第２基準領域１７０７の面積変化量に対応して拡大倍率を決定することもできる。
【０１００】
他の例として、第１基準領域１７０５と第２基準領域１７０７の面積変化率が拡大しきい値を超える場合、電子装置はタッチスクリーンに表示されたコンテンツ領域を拡大して表示することもできる。
この時、電子装置は第１基準領域１７０５と第２基準領域１７０７の面積変化率の大きさに対応して拡大倍率を決定することもできる。
【０１０１】
図１８（ａ）及び（ｂ）は、本発明の実施形態による円形に構成された基準領域の面積変化に基づいて画面縮小を示す図である。
電子装置はタッチスクリーンに表示されたコンテンツ領域を介してユーザ又は物体による少なくとも１つのタッチを感知する。
以下の説明で電子装置はタッチスクリーンに表示されたコンテンツ領域で２つのタッチが感知されるものと仮定する。
図１８の（ａ）に示すように２つのタッチが感知された場合、電子装置はタッチ情報（１８０１、１８０３）に基づいて設定された直径を有する円形の基準領域１８０５を生成する。
【０１０２】
図１８の（ｂ）に示すように少なくとも１つのタッチが移動した場合、電子装置は変更されたタッチ情報に基づいて第２基準領域１８０７を生成する。
この時、電子装置は第１基準領域１８０５と第２基準領域１８０７の面積変化量及び面積変化率のうち少なくとも１つに基づいてコンテンツ領域に対して拡大又は縮小するかどうかを決定する。
例えば、第２基準領域１８０７の面積が第１基準領域１８０５の面積より縮小しきい値を超えるほど小さい場合、電子装置はタッチスクリーンに表示されたコンテンツ領域を縮小して表示する。この時、電子装置は第１基準領域１８０５と第２基準領域１８０７の面積変化量に対応して縮小倍率を決定することもできる。
【０１０３】
他の例として、第１基準領域１８０５と第２基準領域１８０７の面積変化率が縮小しきい値以下の場合、電子装置はタッチスクリーンに表示されたコンテンツ領域を縮小して表示することもできる。
この時、電子装置は第１基準領域１８０５と第２基準領域１８０７の面積変化率の大きさに応じて縮小倍率を決定することもできる。
【０１０４】
図１９は、本発明による電子装置の構成を示すブロック図である。
図１９に示すように電子装置１９００は、メモリ１９１０、プロセッサユニット（ｐｒｏｃｅｓｓｏｒ  ｕｎｉｔ）１９２０、第１無線通信サブシステム１９３０、第２無線通信サブシステム１９３１、オーディオサブシステム１９５０、スピーカ１９５１、マイクロホン１９５２、外部ポート１９６０、入出力（Ｉｎｐｕｔ  Ｏｕｔｐｕｔ：ＩＯ）システム１９７０、タッチスクリーン１９８０、その他の入力／制御装置１９９０、モーションセンサ１９９１、光センサ１９９２、及びカメラサブシステム１９９３を含む。
この時、電子装置１９００の様々な構成要素は１つ以上の通信バス（図示せず）又はストリーム線（図示せず）によって結合することができる。ここで、メモリ１９１０と外部ポート１９６０は複数個が使用され得る。
【０１０５】
プロセッサユニット１９２０は、メモリインタフェース１９２１、１つ以上のプロセッサ１９２２、及び周辺装置インタフェース（ｐｅｒｉｐｈｅｒａｌ  ｉｎｔｅｒｆａｃｅ）１９２３を含むことができる。さらに、プロセッサユニット１９２０を単にプロセッサと称する場合もある。
【０１０６】
プロセッサユニット１９２０は、タッチスクリーン１９８０に表示されたコンテンツ領域に対する少なくとも１つの第１タッチを感知し、感知された少なくとも１つの第１タッチ情報に基づいて第１基準領域を生成する。
もし、少なくとも１つのタッチに対する移動が感知された場合、プロセッサユニット１９２０は変更されたタッチ情報に基づいて第２基準領域を生成する。
この時、プロセッサユニット１９２０は第１基準領域と第２基準領域の面積変化量、ピクセル数の変化量、及び面積変化率のうち少なくとも１つに基づいてタッチ移動によるタッチ機能を決する。
さらに、プロセッサユニット１９２０はあらかじめ設定されたズーム領域に対するタッチ情報に基づいてタッチスクリーン１９８０に表示されたコンテンツ領域を拡大又は縮小することもできる。
【０１０７】
プロセッサ１９２２は、少なくとも１つのソフトウェアプログラムを使用して電子装置１９００が様々なマルチメディアサービスを提供するように制御する。
この時、プロセッサ１９２２はメモリ１９１０に格納された少なくとも１つのプログラムを実行して該当プログラムに対応するサービスを提供できる。
すなわち、プロセッサ１９２２はメモリ１９１０に格納されたソフトウェアプログラムと連動して本発明の実施形態によってタッチスクリーン１９８０に表示されたコンテンツに対する拡大又は縮小を行う。
【０１０８】
プロセッサ１９２２は、互いに異なる機能を行う複数個のプロセッサで構成され得る。
例えば、プロセッサ１９２２は１つ以上のデータプロセッサ、イメージプロセッサ及びコーデック（ＣＯＤＥＣ）のうち少なくとも１つを含むことができる。
周辺装置インタフェース１９２３は、電子装置１９００の入出力サブシステム１９７０及び少なくとも１つの周辺装置（モーションセンサ１９９１、光センサ１９９２など）をプロセッサ１９２２及びメモリインタフェース１９２１に接続させる。
メモリインタフェース１９２１は、プロセッサ１９２２又は周辺装置インタフェース１９２３のような構成要素のメモリ１９１０へのアクセスを制御する。
【０１０９】
電子装置１９００は、１つ以上の無線通信サブシステム（１９３０、１９３１）を介して音声通信及びデータ通信のうち少なくとも１つの通信機能を行う。
第１通信サブシステム１９３０と第２通信サブシステム１９３１は、電子装置１９００が通信する通信ネットワークによって区分され得る。
【０１１０】
例えば、通信ネットワークは、これらに限定されないが、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎ）ネットワーク、ＥＤＧＥ（Ｅｎｈａｎｃｅｄ  Ｄａｔａ  ＧＳＭ  Ｅｎｖｉｒｏｎｍｅｎｔ）ネットワーク、ＣＤＭＡ（Ｃｏｄｅ  Ｄｉｖｉｓｉｏｎ  Ｍｕｌｔｉｐｌｅ  Ａｃｃｅｓｓ）ネットワーク、Ｗ−ＣＤＭＡ（Ｗ−Ｃｏｄｅ  Ｄｉｖｉｓｉｏｎ  Ｍｕｌｔｉｐｌｅ  Ａｃｃｅｓｓ）ネットワーク、ＬＴＥ（Ｌｏｎｇ  Ｔｅｒｍ  Ｅｖｏｌｕｔｉｏｎ）ネットワーク、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）ネットワーク、Ｗｉ−Ｆｉ（Ｗｉｒｅｌｅｓｓ  Ｆｉｄｅｌｉｔｙ）ネットワーク、ＷｉＭａｘネットワーク又は／及びＢｌｕｅｔｏｏｔｈ（登録商標）ネットワークのうち少なくとも１つを含むことができる。
この時、電子装置１９００は第１無線通信サブシステム１９３０と第２無線通信サブシステム１９３１を結合して１つの無線通信サブシステムに構成することもできる。
【０１１１】
オーディオサブシステム１９５０はスピーカ１９５１及びマイクロホン１９５２が結合されて音声認識、音声複製、デジタルレコーディング及び電話機能のようなオーディオストリームの入力と出力を担当する。
すなわち、オーディオサブシステム１９５０はスピーカ１９５１及びマイクロホン１９５２を介してユーザとのオーディオインタフェースを提供する。
【０１１２】
例えば、プロセッサユニット１９２０の周辺装置インタフェース１９２３を介してデータストリームを受信した場合、オーディオサブシステム１９５０はデータストリームを電気ストリーム（ｅｌｅｃｔｒｉｃ  ｓｉｇｎａｌ）に変換してスピーカ１９５１に伝送する。スピーカ１９５１は電気ストリームを人間が聴くことができる音波に変換して出力する。
マイクロホン１９５２は人間やその他の音源から伝達された音波を電気ストリームに変換してオーディオサブシステム１９５０に伝送する。
オーディオサブシステム１９５０はマイクロホン１９５２から提供された電気ストリームをオーディオデータストリームに変換して周辺装置インタフェース１９２３に伝送する。この時、オーディオサブシステム１９５０は着脱可能なイヤホン、ヘッドホン又はヘッドセットを含むことができる。
【０１１３】
外部ポート１９６０は、電子装置１９００を他の電子装置と直接接続するために使用される。
例えば、外部ポート１９６０はＵＳＢ（Ｕｎｉｖｅｒｓａｌ  ｓｅｒｉａｌ  Ｂｕｓ）ポートを指す場合もある。
入出力（Ｉｎｐｕｔ／Ｏｕｔｐｕｔ：Ｉ／Ｏ）サブシステム１９７０はタッチスクリーン制御器１９７１とその他の入力制御器１９７２のうち少なくとも１つを含むことができる。
【０１１４】
タッチスクリーン制御器１９７１は、タッチスクリーン１９８０に接続されてタッチスクリーン１９８０に対する信号の入／出力を制御する。
その他の入力制御器１９７２は、その他の入力／制御装置１９９０に接続されてその他の入力／制御装置１９９０に対する信号の入／出力を制御する。
【０１１５】
タッチスクリーン１９８０は、電子装置１９００とユーザの間に入／出力インタフェースを提供する。
すなわち、タッチスクリーン１９８０は、ユーザのタッチ入力を電子装置１９００に伝達する。この時、タッチスクリーン１９８０はタッチスクリーン制御器１９７１と接続して容量性、抵抗性、赤外線、及び表面音響波技術だけでなくその他の近接センサ配列又はその他の要素を含む任意のマルチタッチ感知技術を利用してタッチ、タッチ移動、及びタッチ解除を検出する。
また、タッチスクリーン１９８０は、電子装置１９００の状態情報、ユーザが入力する文字、動画及び静止画などを表示する。すなわち、タッチスクリーン１９８０はユーザに視覚的な出力を提供する。ここで、視覚的出力（ｖｉｓｕａｌ  ｏｕｔｐｕｔ）は、テキスト、グラフィック、ビデオとこれらの組み合わせの形態で提供されうる。
【０１１６】
タッチスクリーン１９８０は、様々な表示装置に構成されることができる。
例えば、タッチスクリーン１９８０は、これに限定されないが、ＬＣＤ（ｌｉｑｕｉｄ  ｃｒｙｓｔａｌ  ｄｉｓｐｌａｙ）、ＬＥＤ（Ｌｉｇｈｔ  Ｅｍｉｔｔｉｎｇ  Ｄｉｏｄｅ）、ＬＰＤ（ｌｉｇｈｔ  ｅｍｉｔｔｉｎｇ  ｐｏｌｙｍｅｒ  ｄｉｓｐｌａｙ）、ＯＬＥＤ（Ｏｒｇａｎｉｃ  Ｌｉｇｈｔ  Ｅｍｉｔｔｉｎｇ  Ｄｉｏｄｅ）、ＡＭＯＬＥＤ（Ａｃｔｉｖｅ  Ｍａｔｒｉｘ  Ｏｒｇａｎｉｃ  Ｌｉｇｈｔ  Ｅｍｉｔｔｉｎｇ  Ｄｉｏｄｅ）及びＦＬＥＤ（Ｆｌｅｘｉｂｌｅ  ＬＥＤ）の少なくとも１つで構成することができる。
【０１１７】
その他の入力／制御装置１９９０は、１つ以上のハードウェアボタン、ロッカー（ｒｏｃｋｅｒ）スイッチ、サムホイール（ｔｈｕｍｂ−ｗｈｅｅｌ）、ダイヤル（ｄｉａｌ）、スティック（ｓｔｉｃｋ）、スタイラスのようなポインタ装置のうち少なくとも１つを含む。
モーションセンサ１９９１及び光センサ１９９２は、周辺装置インタフェース１９２３に接続されて電子装置１９００のサービスに必要な情報をプロセッサユニット１９２０に提供する。例えば、モーションセンサ１９９１は電子装置１９００の動きを感知し、光センサ１９９２は電子装置１９００の周辺に対する光を感知する。
【０１１８】
図示していないが、電子装置１９００は、位置測定サブシステム、温度センサ、及び生体センサなどのような少なくとも１つのセンサを含むことができる。
カメラサブシステム１９９３は、写真及びビデオクリップレコーディングのようなカメラ機能を行うことができる。この時、カメラサブシステム１９９３はＣＣＤ又はＣＭＯＳデバイスで構成された光センサを含むことができる。
【０１１９】
メモリ１９１０は、メモリインタフェース１９２１に接続され得る。
メモリ１９１０は、１つ以上の磁気ディスク記憶装置のような高速ランダムアクセスメモリ及び／又は不揮発性メモリ、１つ以上の光記憶装置及び／又はフラッシュメモリ（例えば、ＮＡＮＤ、ＮＯＲ）を含むことができる。
【０１２０】
メモリ１９１０は、少なくとも１つのプログラムを格納する。
例えば、メモリ１９１０はオペレーティングシステム（ｏｐｅｒａｔｉｎｇ  ｓｙｓｔｅｍ）プログラム１９１１、通信プログラム１９１２、グラフィックプログラム１９１３、ユーザインタフェースプログラム１９１４、及びＣＯＤＥＣプログラム１９１５、カメラプログラム１９１６、１つ以上のアプリケーションプログラム１９１７などを含む。
ここで、メモリ１９１０に格納されるプログラムは命令の集合であって命令セット（ｉｎｓｔｒｕｃｔｉｏｎ  ｓｅｔ）で表現することもできる。
【０１２１】
オペレーティングシステムプログラム１９１１は、一般的なシステム動作（ｓｙｓｔｅｍ  ｏｐｅｒａｔｉｏｎ）を制御する様々なソフトウェア構成要素を含む。
例えば、オペレーティングシステムプログラム１９１１は、メモリ管理及び制御、記憶ハードウェア（装置）制御及び管理、電力制御及び管理するためのソフトウェア構成要素を含む。
また、オペレーティングシステムプログラム１９１１は、複数個のハードウェア（装置）とソフトウェア構成要素（モジュール）の間の通信を円滑にする機能も行う。
ここで、オペレーティングシステムプログラム１９１１は、ＷＩＮＤＯＷＳ（登録商標）、ＬＩＮＵＸ（登録商標）、ダーウィン（Ｄａｒｗｉｎ）、ＲＴＸＣ、ＵＮＩＸ（登録商標）、ＯＳ  Ｘ（登録商標）及びＶｘＷｏｒｋｓのいずれか１つを含む。
【０１２２】
通信プログラム１９１２は、無線通信サブシステム（１９３０、１９３１）や外部ポート１９６０を介してコンピュータ、サーバ及び／又は携帯端末など他の電子装置と通信を可能にする。
グラフィックプログラム１９１３は、タッチスクリーン１９８０上にグラフィックを提供して表示するための様々なソフトウェア構成要素を含む。ここで、グラフィックはテキスト、ウェブページ、アイコン、デジタルイメージ、ビデオ、アニメーションなどを含む意味として用いられる。
【０１２３】
ユーザインタフェースプログラム１９１４は、ユーザインタフェースに関連した様々なソフトウェア構成要素を含む。この時、ユーザインタフェースプログラム１９１４はユーザインタフェースの状態がどのように変更されるか又はユーザインタフェース状態の変更がどのような条件で行われるかなどについての内容を含む。
コーデック（ＣＯＤＥＣ）プログラム１９１５は、ビデオファイルのエンコード及びデコードに関するソフトウェア構成要素を含む。コーデックプログラム１９１５は、ＭＰＥＧモジュール及び／又はＨ２０４モジュールのようなビデオストリームモジュールを含むことができる。また、コーデックプログラム１９１５はＡＡＡ、ＡＭＲ、ＷＭＡなど様々なオーディオファイル用コーデックモジュールを含むことができる。
【０１２４】
カメラプログラム１９１６は、カメラ関連プロセス及び機能を可能にするカメラ関連ソフトウェア構成要素を含む。
アプリケーションプログラム１９１７は、ブラウザ、電子メール、インスタントメッセージ、ワードプロセッサ、キーボードエミュレーション（ｋｅｙｂｏａｒｄ  ｅｍｕｌａｔｉｏｎ）、アドレス帳、タッチリスト（ｔｏｕｃｈ  ｌｉｓｔ）、ウィジェット（ｗｉｄｇｅｔ）、デジタル著作権管理（ＤＲＭ：Ｄｉｇｉｔａｌ  Ｒｉｇｈｔ  Ｍａｎａｇｅｍｅｎｔ）、音声認識、音声複製、位置決定機能（ｐｏｓｉｔｉｏｎ  ｄｅｔｅｒｍｉｎｉｎｇ  ｆｕｎｃｔｉｏｎ）、位置情報に基づくサービス（ｌｏｃａｔｉｏｎ  ｂａｓｅｄ  ｓｅｒｖｉｃｅ）などを含む。
【０１２５】
上述した実施形態でプロセッサユニット１９２０は、基準領域の面積（大きさ）変化に対応して画面を拡大又は縮小する。
この時、プロセッサユニット１９２０は、基準領域の面積が最初に変更された時、拡大又は縮小イベントであると認識することもできる。
例えば、タッチスクリーン１９８０に対する１つの第１タッチが感知される場合、プロセッサユニット１９２０は図２に示したように第１タッチ地点に基づいて基準領域を決定する。
【０１２６】
一方、タッチスクリーン１９８０に対するマルチタッチが感知された場合、プロセッサユニット１９２０は図３に示したように複数個のタッチ地点に基づいて基準領域を決定する。
これにより、マルチタッチに対応して第１タッチと第２タッチが連続的に感知される場合、プロセッサユニット１９２０は基準領域が第１タッチ地点による基準領域から第１タッチ地点及び第２タッチ地点に基づいた基準領域へと基準領域の面積が変更されたものと認識できる。
この時、プロセッサユニット１９２０は拡大又は縮小イベントが発生したと認識する。
その後、プロセッサユニット１９２０は基準領域の面積変化に対応して画面を拡大又は縮小して表示する。
ここで、拡大又は縮小イベントは、基準領域の面積変化に対応して画面を拡大又は縮小するための拡大又は縮小時点を指す。
【０１２７】
もし、拡大又は縮小イベント発生のための基準領域の面積変化が感知されない場合、プロセッサユニット１９２０は、第１タッチが感知された位置に基づいて画面を拡大又は縮小して表示する。
また、図３０及び３１は、本発明の実施形態によるズーム領域のドラッグ情報に対応して画面を拡大及び縮小するための画面構成を示す図である。
例えば、第１タッチがズーム領域内で感知された場合、プロセッサユニット１９２０はズーム領域内で感知された第１タッチによるドラッグ情報に基づいて画面を拡大又は縮小して表示する。
この時、プロセッサユニット１９２０は、図３０の（ａ）及び（ｂ）、及び図３１の（ａ）及び（ｂ）に示すようにズーム領域に対するドラッグ方向に対応してコンテンツに対する拡大又は縮小を決定する。
この時、プロセッサユニット１９２０はドラッグの長さに基づいて拡大倍率又は縮小倍率を決定する。ここで、ドラッグの長さは、ドラッグが感知された全体長さ、ドラッグによる垂直座標の変化値及びドラッグの開始地点からタッチ解除された地点までの直線距離のうち少なくとも１つを含む。また、ドラッグは第１タッチ地点が基準距離以上に変更される動作を指す場合もある。
【０１２８】
他の例として、第１タッチがズーム領域内で感知された場合、プロセッサユニット１９２０は第１タッチが感知されたズーム領域の種類に基づいて画面を拡大又は縮小して表示することもできる。
ここで、ズーム領域は、タッチスクリーン１９８０の表示領域でズーム機能のために設定された一部の領域を指す。
この時、電子装置１９００はタッチスクリーン１９８０に含まれる任意の領域に１つ以上のズーム領域を互いに異なる位置に設定できる。
【０１２９】
上述のような電子装置１９００の様々な機能は、１つ以上のストリームプロセッシング（ｐｒｏｃｅｓｓｉｎｇ）及び／又は特定用途向け集積回路（ＡＳＩＣ：Ａｐｐｌｉｃａｔｉｏｎ  Ｓｐｅｃｉｆｉｃ  Ｉｎｔｅｇｒａｔｅｄ  ｃｉｒｃｕｉｔ）を含むハードウェア及び／又はソフトウェア及び／又はこれらの結合によって実行することができる。
【０１３０】
図２０の（ａ）は、本発明の実施形態による電子装置で基準領域の面積変化に対応して画面を拡大又は縮小する手順を説明するためのフローチャートである。
図２０の（ａ）を参照すると、電子装置はステップＳ２００１でタッチスクリーンに表示されたコンテンツ領域を介して少なくとも１つの第１タッチが感知された場合、少なくとも１つの第１タッチに基づいて第１基準領域を生成し、第１基準領域の面積を確認する。
【０１３１】
その後、電子装置はステップＳ２００３に進んで少なくとも１つの第１タッチに対する移動が感知された場合、タッチ移動による少なくとも１つの第２タッチ情報に基づいて第２基準領域を生成し、第２基準領域の面積を確認する。
その後、電子装置はステップＳ２００５に進んで第１基準領域と第２基準領域の面積を比較してタッチ移動によるタッチ機能を決定し、タッチ移動によるタッチ機能によってコンテンツ領域を表示する。
この時、電子装置は第１基準領域と第２基準領域の面積変化量、ピクセル数の変化量、及び面積変化率のうち少なくとも１つに基づいてタッチ移動によるタッチ機能を決定する。
【０１３２】
例えば、第１基準領域と第２基準領域の面積変化量が拡大しきい値を超えた場合、電子装置はタッチスクリーンに表示されたコンテンツ領域を拡大して表示する。
他の例として、第１基準領域と第２基準領域の面積変化量が縮小しきい値以下の場合、電子装置はタッチスクリーンに表示されたコンテンツ領域を縮小して表示する。
さらに他の例として、第１基準領域と第２基準領域の面積変化量が縮小しきい値を超え、拡大しきい値以下の場合、電子装置はタッチ移動に対応してコンテンツ領域をスクロールする。
【０１３３】
ここで、タッチスクリーンに表示されたコンテンツ領域はタッチスクリーンに表示されたオブジェクトを指す。
オブジェクトはグラフィックオブジェクト（ｇｒａｐｈｉｃａｌ  ｏｂｊｅｃｔ）である場合がある。また、コンテンツ領域の拡大又は縮小は、タッチスクリーンに表示されたオブジェクトのパラメータ（ｐａｒａｍｅｔｅｒ）を調節して表示する一連の動作を指し、コンテンツ領域のスクロールはタッチスクリーンに表示されたオブジェクトをスクロールする一連の動作を指す。
【０１３４】
上述のように電子装置のタッチスクリーンに表示されたオブジェクトのパラメータを調節する動作はタッチスクリーンに表示されたコンテンツの大きさを拡大するか（ｚｏｏｍ  ｉｎ）、縮小すること（ｚｏｏｍ  ｏｕｔ）を指す。
また、電子装置のタッチスクリーンに表示されたオブジェクトをスクロールする動作はタッチスクリーンに表示されたコンテンツをスクロールアップするか、スクロールダウンすることを指す。
【０１３５】
図２０の（ｂ）は、本発明による画面を拡大又は縮小するための電子装置の構成を示すブロック図である。
図２０の（ｂ）に示すように電子装置は、第１基準領域の面積決定手段２０１１、第２基準領域の面積決定手段２０１３、及びタッチ機能決定手段２０１５を含む。
【０１３６】
第１基準領域の面積決定手段２０１１は、タッチスクリーンに表示されたコンテンツ領域を介して少なくとも１つの第１タッチが感知された場合、少なくとも１つの第１タッチに基づいて第１基準領域を生成し、第１基準領域の面積を確認する。
第２基準領域の面積決定手段２０１３は、少なくとも１つの第１タッチに対する移動が感知された場合、タッチ移動による少なくとも１つの第２タッチ情報に基づいて第２基準領域を生成し、第２基準領域の面積を確認する。
タッチ機能決定手段２０１５は、第１基準領域と第２基準領域の面積を比較してタッチ移動によるタッチ機能を決定し、タッチ移動によるタッチ機能によってコンテンツ領域を表示する。この時、タッチ機能決定手段２０１５は、第１基準領域と第２基準領域の面積変化量、ピクセル数の変化量、及び面積変化率のうち少なくとも１つに基づいてタッチ移動によるタッチ機能を決定する。
ここで、第１基準領域の面積決定手段２０１１と第２基準領域の面積決定手段２０１３、及びタッチ機能決定手段２０１５は、図１９に示したプロセッサユニット１９２０又はプロセッサ１９２２に含まれ得る。
【０１３７】
図２１は、本発明の他の実施形態による電子装置で基準領域の面積変化に対応して画面を拡大又は縮小する手順を説明するためのフローチャートである。
図２１を参照すると、電子装置はステップＳ２１０１でタッチスクリーンに表示されたコンテンツ領域を介して少なくとも１つの第１タッチが感知されるかを確認する。
少なくとも１つの第１タッチが感知された場合、電子装置はステップＳ２１０３に進んで少なくとも１つの第１タッチ情報に基づいて第１基準領域を生成する。
【０１３８】
例えば、複数個タッチが感知された場合、電子装置はタッチ地点の座標値の中のｘ座標値の最大／最小値及びｙ座標値の最大／最小値に基づいて第１基準領域を生成する。
他の例として、複数個のタッチが感知された場合、電子装置はピクセルの交点のうち各タッチ地点に最も近接した交点の座標値の中のｘ座標値の最大／最小値及びｙ座標値の最大／最小値に基づいて第１基準領域を生成する。
【０１３９】
その後、電子装置はステップＳ２１０５に進んで少なくとも１つの第１タッチに対する移動が感知された場合、タッチ移動による少なくとも１つの第２タッチ情報に基づいて第２基準領域を生成する。
例えば、電子装置はタッチが移動しながら感知されたタッチ地点の座標値に基づいて第２基準領域を生成する。
他の例として、電子装置はピクセルの交点のうちタッチが移動しながら感知されたタッチ地点に最も近接した交点の座標値に基づいて第２基準領域を生成できる。
【０１４０】
第２基準領域を生成した後、電子装置はステップＳ２１０７に進んで第１基準領域と第２基準領域の面積を比較してタッチ移動によるタッチ機能を決定する。
この時、電子装置は第１基準領域と第２基準領域の面積変化量、ピクセル数の変化量、及び面積変化率のうち少なくとも１つに基づいてタッチ移動によるタッチ機能を決定する。
ここで、電子装置は第１基準領域と第２基準領域の面積差がしきい値より小さい場合、第１基準領域と第２基準領域の面積変化が発生していないと認識することもできる。
【０１４１】
タッチ機能を決定した後、電子装置はステップＳ２１０９に進んでステップＳ２１０７で決定したタッチ移動によるタッチ機能によってコンテンツ領域を表示する。
例えば、第１基準領域と第２基準領域の面積変化量が拡大しきい値を超えた場合、電子装置はタッチスクリーンに表示されたコンテンツ領域を拡大して表示する。
他の例として、第１基準領域と第２基準領域の面積変化量が縮小しきい値以下の場合、電子装置はタッチスクリーンに表示されたコンテンツ領域を縮小して表示する。
さらに他の例として、第１基準領域と第２基準領域の面積変化量が縮小しきい値を超え、拡大しきい値以下の場合、電子装置はタッチ移動に対応してコンテンツ領域をスクロールする。
【０１４２】
ここで、タッチスクリーンに表示されたコンテンツ領域はタッチスクリーンに表示されたオブジェクトを指す。オブジェクトはグラフィックオブジェクトである場合がある。
また、コンテンツ領域の拡大又は縮小は、タッチスクリーンに表示されたオブジェクトのパラメータを調節して表示する一連の動作を指し、コンテンツ領域のスクロールはタッチスクリーンに表示されたオブジェクトをスクロールする一連の動作を指す。
上述のように電子装置のタッチスクリーンに表示されたオブジェクトのパラメータを調節する動作はタッチスクリーンに表示されたコンテンツの大きさを拡大するか、縮小することを指す。また、電子装置のタッチスクリーンに表示されたオブジェクトをスクロールする動作はタッチスクリーンに表示されたコンテンツをスクロールアップするか、スクロールダウンすることを指す。
【０１４３】
図２２は、本発明の実施形態による電子装置でズーム領域に対するドラッグに対応して画面を拡大又は縮小するための手順を説明するためのフローチャートである。
また、図２４の（ａ）及び（ｂ）と図２５の（ａ）及び（ｂ）は、本発明の各実施形態によるズーム領域に対する画面構成を示す図である。
図２２、２４、２５を参照すると、電子装置はステップＳ２２０１でズーム領域に対するドラッグが感知されるかを確認する。
例えば、ズーム領域は、図２４の（ａ）及び（ｂ）と図２５の（ａ）及び（ｂ）に示すようにタッチスクリーンの表示形態によってズーム領域（２４１０、２４２０、２５１０、２５２０）の大きさ及び位置が変更され得る。
【０１４４】
ズーム領域に対するドラッグが感知された場合、電子装置はステップＳ２２０３に進んでズーム領域に対するドラッグの方向及び長さに対応して表示倍率を決定する。
具体的には、電子装置はズーム領域に対するドラッグ方向に対応してタッチスクリーンに表示されたコンテンツに対する拡大又は縮小を決定し、ドラッグの長さに基づいて拡大倍率又は縮小倍率を決定する。
例えば、図３０の（ａ）に示したようにズーム領域に対する上方向へのドラッグが感知された場合、電子装置は画面を拡大すると認識する。この時、電子装置はズーム領域に対するドラッグの長さ３０００に比例するように拡大倍率を決定する。
【０１４５】
他の例として、図３１の（ａ）に示したようにズーム領域に対する下方向へのドラッグが感知された場合、電子装置は画面を縮小すると認識する。この時、電子装置はズーム領域に対するドラッグの長さ３１００に比例するように縮小倍率を決定する。
ここで、ドラッグの長さと表示倍率の間には１次方程式又は多次元方程式の関係を有し得る。ドラッグの長さはドラッグが感知された全体長さ、ドラッグによる垂直座標の変化値、及びドラッグの開始地点からタッチ解除された地点までの直線距離のうち少なくとも１つを含む。この時、電子装置はタッチ地点が基準範囲以上変化する場合、ドラッグが感知されたと認識することもできる。
【０１４６】
表示倍率を決定した後、電子装置はステップＳ２２０５に進んでドラッグ方向及び長さに基づいて決定した表示倍率に対応してタッチスクリーンに表示されたコンテンツを拡大又は縮小して表示する。
例えば、図３０の（ａ）に示したようにズーム領域に対する上方向へのドラッグ長さ３０００に対応して拡大倍率を決定した場合、電子装置は図３０の（ｂ）に示したようにドラッグの長さ変化３０００に比例するようにタッチスクリーンに表示されたコンテンツを拡大して表示する。
【０１４７】
他の例として、図３１の（ａ）に示したようにズーム領域に対する下方向へのドラッグ長さ３１００に対応して縮小倍率を決定した場合、電子装置は図３１の（ｂ）に示したようにドラッグの長さ変化３１００に比例するようにタッチスクリーンに表示されたコンテンツを縮小して表示することもできる。この時、電子装置はタッチスクリーンに表示されたコンテンツの中央部分を中心に該当コンテンツを拡大又は縮小する。
その後、電子装置は本アルゴリズムを終了する。
上述した実施形態で、電子装置はズーム領域で一方向へのドラッグに対応して画面を拡大又は縮小する。
【０１４８】
他の実施形態で、電子装置のズーム領域で変曲点を含むドラッグが感知された場合、変曲点を基準にズームモードを変更することもできる。
図３２は、本発明の実施形態によるズーム領域に対するドラッグの変曲点に基づいて画面を拡大又は縮小するための画面構成を示す図である。
【０１４９】
例えば、図３２の（ａ）に示すようにズーム領域に対するドラッグに第１変曲点３２１０及び第２変曲点３２２０が含まれた場合、電子装置は変曲点（３２１０、３２２０）ごとにズームモードを変更する。
具体的には、図３２の（ａ）に示すようにズーム領域に対する上方向へのドラッグが感知された場合、電子装置は図３２の（ｂ）に示すように第１変曲点３２１０までのドラッグの長さ変化３２００に比例するように画面を拡大して表示する。ここで、ドラッグの長さ変化と表示倍率の間には１次方程式又は多次元方程式の関係を有し得る。
【０１５０】
その後、電子装置は図３２の（ｃ）に示すようにズーム領域に対する第１変曲点３２１０から第２変曲点３２２０までのドラッグの長さ変化３２１２に比例するようにコンテンツを縮小して表示する。
その後、電子装置は図３２の（ｄ）に示すようにズーム領域に対する第２変曲点３２２０からのドラッグの長さ変化３２２２に比例するようにコンテンツを拡大して表示する。
もし、電子装置はズーム領域内で始まったドラッグがズーム領域から離れる場合でも、ドラッグ情報に対応してタッチスクリーンに表示されたコンテンツを拡大又は縮小して表示できる。
【０１５１】
他の例として、電子装置はズーム領域内で始まったドラッグがズーム領域から離れる場合、タッチスクリーンに表示されたコンテンツに対する拡大又は縮小を中断することもできる。
これにより、ズーム領域内で始まったドラッグがズーム領域から離れる場合、電子装置はドラッグ方向に対応してコンテンツをスクロールできる。
【０１５２】
これに対し、ズーム領域外で始まったドラッグがズーム領域に進入した場合、電子装置はズーム領域が存在しないと認識する。すなわち、電子装置はズーム領域内でもズーム領域外で始まったドラッグに対応するイベントを行う。
他の例として、ズーム領域外で始まったドラッグがズーム領域に進入した場合、電子装置はズーム領域内で感知されたドラッグ方向及び長さに対応して画面を拡大又は縮小することもできる。
上述した実施形態で、電子装置はズーム領域で感知されたドラッグ情報に基づいて画面を拡大又は縮小する。
【０１５３】
他の実施形態で、電子装置は下記の図２３に示すようにズーム領域に対するタブ回数に基づいて画面を拡大又は縮小することもできる。
図２３は、本発明の実施形態による電子装置でズーム領域に対するタブ情報に対応して画面を拡大又は縮小するための手順を説明するためのフローチャートである。
ここで、タブはタッチスクリーンに対するタッチが感知された後、連続的にタッチ解除が感知される一連の動作を指す。
【０１５４】
図２３を参照すると、電子装置はステップＳ２３０１でズーム領域に対するタブが感知されたかどうかを確認する。
例えば、ズーム領域は、図２４の（ａ）及び（ｂ）と図２５の（ａ）及び（ｂ）に示したようにタッチスクリーンの表示形態によってズーム領域（２４１０、２４２０、２５１０、２５２０）の大きさ及び位置を変更することもできる。
【０１５５】
ズーム領域に対するタブが感知された場合、電子装置はステップＳ２３０３に進んでタブが感知されたズーム領域の種類によって表示倍率を決定する。
この時、電子装置はタブが感知されたズーム領域の種類によってタッチスクリーンに表示されたコンテンツに対する拡大又は縮小を決定し、あらかじめ設定された表示倍率に対応して拡大倍率又は縮小倍率を決定する。
例えば、図２４の（ａ）に示したように左側ズーム領域に対するタブが感知された場合、電子装置は画面を拡大すると認識する。
他の例として、図２４の（ａ）に示したように右側ズーム領域に対するタブが感知された場合、電子装置は画面を縮小すると認識する。
【０１５６】
表示倍率を決定した後、電子装置はステップＳ２３０５に進んでタブが感知されたズーム領域に基づいて決定した表示倍率に対応してタッチスクリーンに表示されたコンテンツを拡大又は縮小して表示する。
この時、電子装置はタッチスクリーンに表示されたコンテンツの中央部分を中心に該当コンテンツを拡大又は縮小する。
その後、電子装置は本アルゴリズムを終了する。
【０１５７】
上述した実施形態で、電子装置はズーム領域に対するタブが感知される場合、あらかじめ設定された表示倍率に対応して画面を拡大又は縮小する。例えば、拡大ズーム領域に対するタブが感知された場合、電子装置はあらかじめ設定された拡大倍率（例えば、１．５倍）に対応して画面を拡大して表示する。
その後、拡大ズーム領域に対するタブがさらに感知された場合、電子装置は１次拡大された画面をあらかじめ設定された拡大倍率（例えば、１．５倍）に対応してさらに拡大して表示する。
【０１５８】
他の実施形態で、電子装置はズーム領域に対するタブが感知される場合、ズーム領域に対するタブ回数に基づいて決定された拡大倍率又は縮小倍率に対応して画面を拡大又は縮小することもできる。
例えば、拡大ズーム領域に対するタブが１回感知された場合、電子装置はタブ回数に基づいて決定された拡大倍率（例えば、１．５倍）に対応して画面を拡大して表示する。
一方、拡大ズーム領域に対するタブが連続的に２回感知された場合、電子装置はタブ回数に基づいて決定された拡大倍率（例えば、２．５倍）に対応して画面を拡大して表示する。ここで、ズーム領域に対するタブ回数と表示倍率の間には１次方程式又は多次元方程式の関係を有し得る。
【０１５９】
上述した実施形態で、電子装置はズーム領域に対するタッチ情報に対応してタッチスクリーンに表示されたコンテンツの中央部分を中心に該当コンテンツを拡大又は縮小する。
他の実施形態で、電子装置はズーム機能設定イベントに対応して決定された倍率変更基準点を中心にコンテンツを拡大又は縮小できる。
例えば、ズーム機能設定イベントが発生した場合、電子装置はタッチスクリーンを介して感知されたタッチ地点を表示倍率変更地点に決定できる。
【０１６０】
さらに他の実施形態で、電子装置は画面拡大又は縮小のために感知されたズーム領域のタッチ地点に基づいて倍率変更基準点を決定することもできる。
例えば、図２４の（ａ）及び（ｂ）のように縦方向に設定されたズーム領域に対するタッチイベントが感知された場合、電子装置はズーム領域で感知された最初タッチ地点を通る水平線上の中央を倍率変更基準点に決定する。
これにより、電子装置はズーム領域に対するタッチ地点に基づいて決定した倍率変更基準点を中心に画面を拡大又は縮小できる。
他の例として、図２５の（ａ）及び（ｂ）のように横方向に設定されたズーム領域に対するタッチイベントが感知された場合、電子装置はズーム領域で感知された最初タッチ地点を通る垂直線上の中央を倍率変更基準点に決定する。
これにより、電子装置はズーム領域に対するタッチ地点に基づいて決定した倍率変更基準点を中心に画面を拡大又は縮小できる。
【０１６１】
さらに他の実施形態で、電子装置はズーム領域外で感知されたタッチイベントに基づいて倍率変更基準点を決定することもできる。
例えば、ズーム領域外で任意の地点に対する第１タッチイベントが感知された後、基準時間内にズーム領域に対するタッチイベントが感知される場合、電子装置はズーム領域外で感知されたタッチ地点を倍率変更基準点に決定する。
これにより、電子装置はズーム領域に対するタッチ地点に基づいて決定した倍率変更基準点を中心に画面を拡大又は縮小できる。
ここで、第１タッチイベントは、タッチ、タブ、タブアンドホールド、及びダブルタブのような連続的な複数回のタブ情報を含む。
【０１６２】
図２６は、本発明の実施形態による基準領域の面積変化に対応して画面の拡大又は縮小方式を選択的に使用するための手順を説明するためのフローチャートである。
また、図２９は、本発明の実施形態による基準領域の面積変化を確認するための画面構成を示す図である。
図２６、２９を参照すると、電子装置はステップＳ２６０１でタッチを感知する。
例えば、電子装置は、図２９の（ａ）に示すようにタッチスクリーンに対する第１タッチ２９００を感知する。
【０１６３】
その後、電子装置はステップＳ２６０３に進んで基準領域の面積が変更されたかどうかを確認する。
例えば、図２９の（ａ）のように第１タッチ２９００が感知された場合、電子装置は第１タッチ地点に基づいて基準領域２９０２を生成する。
しかし、図２９の（ｂ）のようにマルチタッチ（２９００、２９１０）が感知された場合、電子装置はマルチタッチ地点に基づいて基準領域２９１２を生成する。
これにより、電子装置はステップＳ２６０１で感知された第１タッチ２９００が維持された状態で少なくとも１つの第２タッチ２９１０が感知された場合、基準領域の面積が変更されたと認識する。
【０１６４】
基準領域の面積が変更された場合、電子装置はステップＳ２６０５に進んで追加的に感知される基準領域の面積変化に基づいてタッチスクリーンに表示されたコンテンツを拡大又は縮小して表示する。
例えば、ステップＳ２６０３で基準領域の面積が変更された場合、電子装置は拡大又は縮小イベントが発生したと認識する。
その後、タッチ地点の移動に対応して基準領域の面積変化が感知された場合、電子装置は基準領域の面積変化に比例するようにタッチスクリーンに表示されたコンテンツを拡大又は縮小して表示する。
【０１６５】
他の例として、拡大又は縮小イベントが発生した後、追加的に第３タッチが感知された場合、電子装置は第１タッチ地点、第２タッチ地点、及び第３タッチ地点に基づいて基準領域を生成することもできる。
これにより、電子装置は第３タッチ地点による基準領域の面積変化に比例するようにタッチスクリーンに表示されたコンテンツを拡大又は縮小して表示する。
ここで、基準領域の面積変化は基準領域の面積変化量、ピクセル数の変化量、及び面積変化率のうち少なくとも１つを含む。
【０１６６】
一方、基準領域の大きさが変更されなかった場合、電子装置はステップＳ２６０７に進んでステップＳ２６０１で感知したタッチ地点に基づいてタッチスクリーンに表示されたコンテンツを拡大又は縮小して表示する。
例えば、図２９の（ｃ）に示すように第１タッチ地点２９００がズーム領域２９１０内に位置する場合、電子装置はズーム領域内で感知されたタッチによるドラッグ情報に基づいてタッチスクリーンに表示されたコンテンツを拡大又は縮小して表示する。
【０１６７】
この時、電子装置はズーム領域２９１０に対するドラッグ方向に対応してコンテンツに対する拡大又は縮小を決定し、ドラッグの長さ変化に比例するように画面を拡大又は縮小して表示する。
ここで、ドラッグの長さは、ドラッグが感知された全体長さ、ドラッグによる垂直座標の変化値、及びドラッグの開始地点からタッチ解除された地点までの直線距離のうち少なくとも１つを含む。
【０１６８】
他の例として、図２９の（ｃ）に示すように第１タッチ地点２９００がズーム領域２９１０内に位置する場合、電子装置はタッチが感知されたズーム領域の種類に基づいてタッチスクリーンに表示されたコンテンツを拡大又は縮小して表示することもできる。
この時、電子装置はタッチが感知された領域の種類によってコンテンツに対する拡大又は縮小を決定し、あらかじめ設定された表示倍率に対応して拡大倍率又は縮小倍率を決定する。
その後、電子装置は本アルゴリズムを終了する。
【０１６９】
上述した実施形態で、電子装置は拡大又は縮小イベントが発生した後、追加的な第３タッチが感知された場合、第３タッチ地点に対応して基準領域の面積が変化すると認識する。
これにより、電子装置は基準領域の面積変化に対応してタッチスクリーンに表示されたコンテンツを拡大又は縮小する。
他の実施形態で、拡大又は縮小イベントが発生した後、追加的な第３タッチが感知された場合、電子装置は拡大又は縮小イベントが初期化されたと認識することもできる。
すなわち、電子装置は第３タッチを基準領域の設定のためのタッチとして認識できる。
その後、電子装置は第１タッチ地点、第２タッチ地点、及び第３タッチ地点のうち少なくとも１つのタッチ地点の移動に対応して基準領域の面積変化が感知された場合、電子装置は基準領域の面積変化に比例するようにタッチスクリーンに表示されたコンテンツを拡大又は縮小して表示する。
【０１７０】
図２７は、本発明の他の実施形態による基準領域の面積変化に対応して画面の拡大又は縮小方式を選択的に使用するための手順を説明するためのフローチャートである。
図２７を参照すると、電子装置は、ステップＳ２７０１で第１タッチを感知する。
例えば、電子装置は、図２９の（ａ）に示したようにタッチスクリーンに対する第１タッチ２９００を感知する。
【０１７１】
その後、電子装置はステップＳ２７０３に進んで第１タッチ地点による基準領域の面積を確認する。
例えば、図２９の（ａ）のように第１タッチ２９００が感知された場合、電子装置は第１タッチ地点に基づいて所定の大きさの面積を有する基準領域２９０２を決定する。
他の例として、電子装置は第１タッチ地点を基準領域に決定することもできる。この場合、第１タッチによる基準領域の大きさは０となる。
【０１７２】
第１タッチによる基準領域の面積を確認した後、電子装置はステップＳ２７０５に進んで基準領域の面積が変更されたかどうかを確認する。
例えば、１つのタッチが感知された場合、電子装置は図２９の（ａ）に示したように第１タッチ地点２９００に基づいて基準領域２９０２を決定する。しかし、マルチタッチが感知された場合、電子装置は図２９の（ｂ）に示したようにマルチタッチ地点（２９００、２９１０）に基づいて基準領域２９１２を決定する。これにより、電子装置はステップＳ２７０１で感知された第１タッチ２９００が維持された状態で少なくとも１つの第２タッチ２９１０が感知される場合、基準領域の面積が変更されたと認識する。
【０１７３】
基準領域の面積が変更された場合、電子装置はステップＳ２７０７に進んで追加的に感知された基準領域の面積変化に基づいてタッチスクリーンに表示されたコンテンツを拡大又は縮小して表示する。
例えば、ステップＳ２７０５で基準領域の面積が変更された場合、電子装置は拡大又は縮小イベントが発生したと認識する。
その後、タッチ地点の移動に対応して基準領域の面積変化が感知された場合、電子装置は基準領域の面積変化に比例するようにタッチスクリーンに表示されたコンテンツを拡大又は縮小して表示する。
【０１７４】
他の例として、拡大又は縮小イベントが発生した後、追加的な第３タッチが感知された場合、電子装置は第１タッチ地点、第２タッチ地点、及び第３タッチ地点に基づいて基準領域を決定することもできる。
これにより、電子装置は、第３タッチ地点による基準領域の面積変化に比例するようにタッチスクリーンに表示されたコンテンツを拡大又は縮小して表示する。
ここで、基準領域の面積変化は、基準領域の面積変化量、ピクセル数の変化量、及び面積変化率のうち少なくとも１つを含む。
【０１７５】
一方、基準領域の面積が変更されなかった場合、電子装置はステップＳ２７０９に進んで第１タッチ地点が変更されたかどうかを確認する。
例えば、電子装置は第１タッチ地点に対するドラッグが感知されたかどうかを確認する。
この時、電子装置は第１タッチ地点に対する変化が基準距離以上感知される場合、第１タッチ地点に対するドラッグが感知されたと認識できる。
【０１７６】
第１タッチ地点が変更されなかった場合、電子装置はステップＳ２７０５に戻って基準領域の大きさが変更されたかどうかを確認する。
他の例として、基準時間の間、第１タッチ地点が変更されず、基準領域の面積が変更されなかった場合、電子装置は第１タッチをタッチ命令と認識する。これにより、電子装置は第１タッチによるタッチ命令を行う。
【０１７７】
一方、第１タッチ地点が変更された場合、電子装置はステップＳ２７１１に進んで第１タッチ地点がズーム領域に含まれるかどうかを確認する。
例えば、電子装置はステップＳ２７０１で感知された第１タッチ地点がズーム領域に含まれるかどうかを確認する。
他の例として、電子装置は第１タッチ地点の変化に対応してズーム領域内に第１タッチ地点が移動するかどうかを確認する。
【０１７８】
第１タッチ地点がズーム領域に含まれない場合、電子装置はステップＳ２７１５に進んで第１タッチ地点の変化に対応して画面移動（ｓｃｒｏｌｌ）機能を行う。
一方、第１タッチ地点がズーム領域に含まれる場合、電子装置はステップＳ２７１３に進んでズーム領域内で感知されたタッチによるドラッグ情報に基づいてタッチスクリーンに表示されたコンテンツを拡大又は縮小して表示する。
この時、電子装置はズーム領域に対するドラッグ方向に対応してコンテンツに対する拡大又は縮小を決定し、ドラッグの長さに基づいて拡大倍率又は縮小倍率を決定する。
【０１７９】
例えば、図３０の（ａ）に示したようにズーム領域に対する上方向へのドラッグが感知された場合、電子装置はコンテンツを拡大すると決定する。これにより、電子装置は図３０の（ｂ）に示したようにズーム領域に対するドラッグの長さ変化３０００に比例するように画面を拡大して表示する。
他の例として、図３１の（ａ）に示したようにズーム領域に対する下方向へのドラッグが感知された場合、電子装置はコンテンツを縮小すると決定する。これにより、電子装置は図３１の（ｂ）に示したようにズーム領域に対するドラッグの長さ変化３１００に比例するように画面を縮小して表示する。
ここで、ドラッグ長さは、ドラッグが感知された全体長さ、ドラッグによる垂直座標の変化値、及びドラッグの開始地点からタッチ解除された地点までの直線距離のうち少なくとも１つを含む。また、ドラッグは第１タッチ地点が基準距離以上に変更される動作を指す。
その後、電子装置は本アルゴリズムを終了する。
【０１８０】
上述した実施形態で、電子装置は第１タッチ地点の変化が感知される場合（ステップＳ２７０９）、第１タッチ地点がズーム領域に含まれるかどうかを確認する（ステップＳ２７１１）。
他の実施形態で、電子装置は基準時間の間、基準領域の大きさ変化が感知されない場合、第１タッチ地点がズーム領域に含まれるかどうかを確認することもできる（ステップＳ２７１１）。
その後、電子装置はズーム領域に対する第１タッチ地点のドラッグ情報に基づいてタッチスクリーンに表示されたコンテンツを拡大又は縮小する（ステップＳ２７１３）。
【０１８１】
もし、ズーム領域で第１タッチ地点が基準距離だけ変化しない場合、電子装置は第１タッチをタッチ命令と認識する。
例えば、基準距離が３ｍｍの場合、電子装置は第１タッチ地点の変化が３ｍｍより小さければ第１タッチ地点が変更されなかったと認識する。
これにより、電子装置は第１タッチに対するタッチ命令を行う。
一方、第１タッチ地点の変化が３ｍｍ以上の場合、電子装置は第１タッチ地点が変更されたと認識する。
これにより、電子装置は第１タッチ地点がズーム領域に含まれるかを確認する。
【０１８２】
上述した実施形態で、電子装置は拡大又は縮小イベントが発生した後、追加的な第３タッチが感知された場合、第３タッチ地点に対応して基準領域の面積が変化すると認識する。
これにより、電子装置は、基準領域の面積変化に対応してタッチスクリーンに表示されたコンテンツを拡大又は縮小する。
他の実施形態で、拡大又は縮小イベントが発生した後、追加的な第３タッチが感知された場合、電子装置は拡大又は縮小イベントが初期化されたと認識されることもできる。
すなわち、電子装置は第３タッチを基準領域の設定のためのタッチと認識する。
その後、電子装置は第１タッチ地点、第２タッチ地点、及び第３タッチ地点のうち少なくとも１つのタッチ地点の移動に対応して基準領域の面積変化が感知された場合、電子装置は基準領域の面積変化に比例するようにタッチスクリーンに表示されたコンテンツを拡大又は縮小して表示する。
【０１８３】
図２８は、本発明のさらに他の実施形態による基準領域の面積変化に対応して画面の拡大又は縮小方式を選択的に使用するための手順を説明するためのフローチャートである。
図２８を参照すると、電子装置はステップＳ２８０１で第１タッチを感知する。
例えば、電子装置は図２９の（ａ）に示したようにタッチスクリーンに対する第１タッチ２９００を感知する。
【０１８４】
その後、電子装置は、ステップＳ２８０３に進んで第１タッチ地点による基準領域の面積を確認する。
例えば、図２９の（ａ）のように第１タッチ２９００が感知された場合、電子装置は第１タッチ地点に基づいて所定の大きさの面積を有する基準領域２９０２を決定する。
他の例として、電子装置は第１タッチ地点を基準領域に決定することもできる。この場合、第１タッチによる基準領域の面積は０となる。
【０１８５】
第１タッチによる基準領域の面積を確認した後、電子装置はステップＳ２８０５に進んで基準領域の面積が変更されたかどうかを確認する。
例えば、１つのタッチが感知された場合、電子装置は図２９の（ａ）に示したように第１タッチ地点２９００に基づいて基準領域２９０２を決定する。
しかし、マルチタッチが感知された場合、電子装置は図２９の（ｂ）に示したようにマルチタッチ地点（２９００、２９１０）に基づいて基準領域２９１２を決定する。
これにより、電子装置はステップＳ２８０１で感知された第１タッチ２９００が維持された状態で少なくとも１つの第２タッチ２９１０が感知された場合、基準領域の面積が変更されたと認識する。
【０１８６】
基準領域の面積が変更された場合、電子装置はステップＳ２８０７に進んで追加的に感知された基準領域の面積変化に基づいて画面を拡大又は縮小して表示する。
例えば、ステップＳ２８０５で基準領域の面積が変更された場合、電子装置は拡大又は縮小イベントが発生したと認識する。
その後、タッチ地点の移動に対応して基準領域の面積変化が感知された場合、電子装置は基準領域の面積変化に比例するようにタッチスクリーンに表示されたコンテンツを拡大又は縮小して表示する。
【０１８７】
他の例として、拡大又は縮小イベントが発生した後、追加的な第３タッチが感知された場合、電子装置は第１タッチ地点、第２タッチ地点、及び第３タッチ地点に基づいて基準領域を決定することもできる。
これにより、電子装置は第３タッチ地点による基準領域の面積変化に比例するようにタッチスクリーンに表示されたコンテンツを拡大又は縮小して表示する。
ここで、基準領域の面積変化は、基準領域の面積変化量、ピクセル数の変化量、及び面積変化率のうち少なくとも１つを含む。
【０１８８】
一方、基準領域の面積が変更されなかった場合、電子装置はステップＳ２８０９に進んで第１タッチ地点がズーム領域に含まれるかどうかを確認する。
例えば、電子装置はステップＳ２８０１で感知された第１タッチ地点がズーム領域に含まれるかどうかを確認する。
【０１８９】
第１タッチ地点がズーム領域に含まれない場合、電子装置はステップＳ２８１３に進んで第１タッチをタッチ命令のためのタッチと認識してタッチ命令に対応するイベントを行う。
一方、第１タッチ地点がズーム領域に含まれる場合、電子装置はステップＳ２８１１に進んでタッチが感知されたズーム領域の種類によって画面を拡大又は縮小して表示する。
この時、電子装置はズーム領域の種類によってコンテンツに対する拡大又は縮小を決定し、あらかじめ設定された表示倍率に対応して拡大倍率又は縮小倍率を決定する。
【０１９０】
これにより、図２９の（ｃ）に示したように第１ズーム領域２９１０に対するタッチが感知された場合、電子装置はコンテンツを拡大すると決定する。
この時、電子装置はあらかじめ設定された表示倍率に対応してタッチスクリーンに表示されたコンテンツを拡大して表示する。
一方、図２９の（ｃ）に示した第２ズーム領域２９２０に対するタッチが感知された場合、電子装置はコンテンツを縮小すると決定する。
この時、電子装置はあらかじめ設定された表示倍率に対応して縮小倍率を決定してタッチスクリーンに表示されたコンテンツを縮小して表示する。
その後、電子装置は本アルゴリズムを終了する。
【０１９１】
上述した実施形態で、電子装置は拡大又は縮小イベントが発生した後、追加的な第３タッチが感知された場合、第３タッチ地点に対応して基準領域の面積が変化すると認識する。
これにより、電子装置は基準領域の面積変化に対応してタッチスクリーンに表示されたコンテンツを拡大又は縮小する。
他の実施形態で、拡大又は縮小イベントが発生した後、追加的な第３タッチが感知された場合、電子装置は拡大又は縮小イベントが初期化されたと認識されることもできる。
すなわち、電子装置は第３タッチを基準領域の設定のためのタッチと認識する。
その後、電子装置は第１タッチ地点、第２タッチ地点、及び第３タッチ地点のうち少なくとも１つのタッチ地点の移動に対応して基準領域の面積変化が感知された場合、電子装置は基準領域の面積変化に比例するようにタッチスクリーンに表示されたコンテンツを拡大又は縮小して表示する。
【０１９２】
上述のようにタッチスクリーンを備える電子装置で基準領域の面積変化又は面積変化率又は基準領域に含まれるピクセルの個数変化に対応して画面を拡大又は縮小して表示することによって、画面拡大又は縮小方式をユーザが容易に認知できる利点がある。
また、電子装置で表示部の一部領域に設定されたズーム領域に対するタッチ情報に対応して画面を拡大又は縮小することによって、画面拡大又は縮小方式をユーザが容易に認知できる利点がある。
【０１９３】
本発明の特許請求の範囲及び／又は明細書に記載された実施形態に係る方法は、ハードウェア、ソフトウェア、又はハードウェアとソフトウェアの組み合わせの形態で実施する（ｉｍｐｌｅｍｅｎｔｅｄ）ことができる。
ソフトウェアで実施する場合、１つ以上のプログラム（ソフトウェアモジュール）を格納するコンピュータ読取可能記憶媒体が提供され得る。
コンピュータ読取可能記憶媒体に格納される１つ以上のプログラムは、電子装置内の１つ以上のプロセッサによって実行可能に構成される。
１つ以上のプログラムは、電子装置にとって、本発明の特許請求の範囲及び／又は明細書に記載された実施形態による方法を実行させる命令（ｉｎｓｔｒｕｃｔｉｏｎｓ）を含む。
【０１９４】
このようなプログラム（ソフトウェアモジュール、ソフトウェア）はランダムアクセスメモリ（ｒａｎｄｏｍ  ａｃｃｅｓｓ  ｍｅｍｏｒｙ）、フラッシュ（ｆｌａｓｈ）メモリを含む不揮発性（ｎｏｎ−ｖｏｌａｔｉｌｅ）メモリ、ロム（Ｒｅａｄ  Ｏｎｌｙ  Ｍｅｍｏｒｙ：ＲＯＭ）、電気的消去可能プログラマブルＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ：ＥＥＰＲＯＭ）、磁気ディスク格納装置（ｍａｇｎｅｔｉｃ  ｄｉｓｃ  ｓｔｏｒａｇｅ  ｄｅｖｉｃｅ）、コンパクトディスクロム（Ｃｏｍｐａｃｔ  Ｄｉｓｃ−ＲＯＭ：ＣＤ−ＲＯＭ）、デジタル多目的ディスク（Ｄｉｇｉｔａｌ  Ｖｅｒｓａｔｉｌｅ  Ｄｉｓｃ：ＤＶＤ）又は他の形態の光学記憶装置、磁気カセット（ｍａｇｎｅｔｉｃ  ｃａｓｓｅｔｔｅ）に格納することができる。または、これらの一部又は全部の組み合わせで構成されたメモリに格納することもできる。また、それぞれの構成メモリは複数個が含まれ得る。
【０１９５】
また、電子装置にインターネット（Ｉｎｔｅｒｎｅｔ）、イントラネット（Ｉｎｔｒａｎｅｔ）、ＬＡＮ（Ｌｏｃａｌ  Ａｒｅａ  Ｎｅｔｗｏｒｋ）、ＷＬＡＮ（Ｗｉｄｅ  ＬＡＮ）、又はＳＡＮ（Ｓｔｏｒａｇｅ  Ａｒｅａ  Ｎｅｔｗｏｒｋ）のような通信ネットワーク、又はこれらの組み合わせで構成された通信ネットワークを介してアクセスできる取り付け可能な記憶装置に格納することができる。このような格納装置は外部ポートを介して電子装置に接続できる。
また、通信ネットワーク上の別途の格納装置が携帯用電子装置に接続することもできる。
【０１９６】
尚、本発明は、上述の実施例形態に限られるものではない。本発明の技術的範囲から逸脱しない範囲内で多様に変更実施することが可能である。
【符号の説明】
【０１９７】
１９００    電子装置
１９１０    メモリ
１９１１    オペレーティングシステムプログラム
１９１２    通信プログラム
１９１３    グラフィックプログラム
１９１４    ユーザインタフェースプログラム
１９１５    ＣＯＤＥＣプログラム
１９１６    カメラプログラム
１９１７    アプリケーションプログラム
１９２０    プロセッサユニット
１９２１    メモリインタフェース
１９２２    プロセッサ
１９２３    周辺装置インタフェース
１９３０、１９３１    （第１、第２）無線通信サブシステム
１９５０    オーディオサブシステム
１９５１    スピーカ
１９５２    マイクロホン
１９６０    外部ポート
１９７０    入出力システム
１９７１    タッチスクリーン制御器
１９７２    その他の入力制御器
１９８０    タッチスクリーン
１９９０    その他の入力／制御装置
１９９１    モーションセンサ
１９９２    光センサ
１９９３    カメラサブシステム
【図１】
2014049121.tif 000003
【図２】
2014049121.tif 000004
【図３】
2014049121.tif 000005
【図４】
2014049121.tif 000006
【図５】
2014049121.tif 000007
【図６】
2014049121.tif 000008
【図７】
2014049121.tif 000009
【図８Ａ】
2014049121.tif 000010
【図８Ｂ】
2014049121.tif 000011
【図９Ａ】
2014049121.tif 000012
【図９Ｂ】
2014049121.tif 000013
【図１０Ａ】
2014049121.tif 000014
【図１０Ｂ】
2014049121.tif 000015
【図１１Ａ】
2014049121.tif 000016
【図１１Ｂ】
2014049121.tif 000017
【図１２】
2014049121.tif 000018
【図１３】
2014049121.tif 000019
【図１４】
2014049121.tif 000020
【図１５】
2014049121.tif 000021
【図１６】
2014049121.tif 000022
【図１７】
2014049121.tif 000023
【図１８】
2014049121.tif 000024
【図１９】
2014049121.tif 000025
【図２０】
2014049121.tif 000026
【図２１】
2014049121.tif 000027
【図２２】
2014049121.tif 000028
【図２３】
2014049121.tif 000029
【図２４】
2014049121.tif 000030
【図２５】
2014049121.tif 000031
【図２６】
2014049121.tif 000032
【図２７】
2014049121.tif 000033
【図２８】
2014049121.tif 000034
【図２９】
2014049121.tif 000035
【図３０】
2014049121.tif 000036
【図３１】
2014049121.tif 000037
【図３２】
2014049121.tif 000038